(57)【要約】      （修正有）【課題】切開のための精密切断と、凝固を伴う、より大きい領域のための切断との両方を提供できる単一の装置を提供する。【解決手段】第１の極及び第２の極と、ブレード電極２２とを備えた電気外科装置で、ブレード電極は、対向する２つの面及び１以上のファセットを有する金属シム２４と、非導電性のコーティング３２とを含む。非導電性コーティングは、少なくとも２つの面と、金属シムの１以上のファセットの一部とを被覆し、一方、前記１以上のファセットの遠位部を被覆しない状態で残している。電気外科装置は、さらに、１以上の導電面４６を有する幅広のシム４４から構成された側部電極４２を備えている。幅広シムは、ブレード電極に平行に配置され、この配置は、１以上の導電面の少なくとも１つが露出され、且つ、ブレード電極の遠位端が前記側部電極から突き出るように行われる。【選択図】図２
2018029950.tif 000002
【特許請求の範囲】
【請求項１】
電気外科装置であって、
（ａ）第１の極と、
（ｂ）第２の極と、
（ｃ）ブレード電極とを備え、
（ｄ）１以上の導電面を有する幅広のシムから構成された側部電極と、
を備え、前記ブレード電極が、
（ｉ）ほぼ対向している２つの面、及び、当該２つの面を接続している１以上のファセットを有する金属シムと、
（ｉｉ）非導電性コーティングであって、前記２つの面の少なくとも一方、及び、前記金属シムの前記１以上のファセットの一部を被覆し、且つ、前記１以上のファセットの遠位部を被覆しない状態に維持する非導電性コーティングと、
を有し、
前記幅広シムが、前記１以上の導電面の少なくとも１つが露出され且つ前記ブレード電極の遠位端が前記側部電極から突き出るように、前記ブレード電極に平行に配置され、前記側部電極が、前記ブレード電極に対して不動であるように固定され、
前記非導電性コーティングが、前記ブレード電極を前記側部電極から絶縁し、且つ、
前記第１極が前記ブレード電極に接続され、前記第２極が前記側部電極に接続されている、前記電気外科装置。
【請求項２】
前記電気外科装置が第１の単極モード及び第２の単極モードで動作可能であり、
前記電気外科装置が第１の単極モードで動作するとき、前記前記第２極が利用されず、
前記電気外科装置が前記第２単極モードで動作するとき、前記第１極及び前記第２極の両方が利用される、請求項１に記載の電気外科装置。
【請求項３】
前記非導電性コーティングが、前記金属シムの１以上のファセットの全表面積の約５％〜約９５％を被覆している、請求項１又は２に記載の電気外科装置。
【請求項４】
前記ブレード電極が、前記金属シムの１以上のファセットの全表面積の約５％〜約５０％を被覆している導電性コーティングを含む、請求項１〜３のいずれかに記載の電気外科装置。
【請求項５】
前記ブレード電極の前記非導電性コーティングの表面積の約２０％〜約９０％が前記側部電極に直接接触している、請求項１〜４のいずれかに記載の電気外科装置。
【請求項６】
前記電気外科装置が、リターン経路を介してエネルギー源と連通している単一のリターン電極を有する電気外科システムの一部であり、
前記ブレード電極及び前記側部電極の両方が、前記単一のリターン電極と電気的に連通している、請求項１〜５のいずれかに記載の電気外科装置。
【請求項７】
前記電気外科装置が、共通のリターン経路を介してエネルギー源と連通している２つ以上のリターン電極を有する電気外科システムの一部である、請求項１〜５のいずれかに記載の電気外科装置。
【請求項８】
前記ブレード電極及び前記側部電極が前記エネルギー源と電気的に連通し、
第１の単極モードにおいて、前記エネルギー源からの電気信号が、前記ブレード電極により受信され、且つ前記側部電極によっては受信されず、次いで、前記電気信号が前記単一のリターン電極に伝達され、
第２の単極モードにおいて、前記エネルギー源からの電気信号が、前記ブレード電極及び前記側部電極の両方により受信され、次いで、前記電気信号が前記単一のリターン電極に伝達される、請求項６に記載の電気外科装置。
【請求項９】
前記ブレード電極及び前記側部電極が、前記エネルギー源と電気的に連通し、
第１の単極モードにおいて、前記エネルギー源からの電気信号が、前記ブレード電極により受信され、且つ前記側部電極によっては受信されず、次いで、前記電気信号が前記単一のリターン電極に伝達され、
第２の単極モードにおいて、前記エネルギー源からの電気信号が前記側部電極により受信され、且つ前記ブレード電極によっては受信されず、次いで、前記電気信号が前記単一のリターン電極に伝達される、請求項６に記載の電気外科装置。
【請求項１０】
エネルギー源と前記側部電極との間に１以上のスイッチを有する電気外科システムの一部である電気外科装置であって、
前記第１単極モードにおいて、前記１以上のスイッチの少なくとも１つが、前記エネルギー源からの電気信号が前記側部電極に供給されることを防止されるように開いており、且つ、
前記第２単極モードにおいて、前記１以上のスイッチの少なくとも１つが、前記エネルギー源からの電気信号が前記側部電極に供給されるように閉じている、請求項２〜９のいずれかに記載の電気外科装置。
【請求項１１】
制御装置が、前記電気外科装置を第１単極モードと第２単極モードとの間で動作変更するように、前記１以上のスイッチを含むか又は前記１以上のスイッチと電気的に連通している、請求項１０に記載の電気外科装置。
【請求項１２】
前記電気外科装置が、エネルギー源及び１以上のリターン電極を有する電気外科システムの一部であり、
前記電気外科装置が、第１の治療信号を前記第１極から、前記第２極からの第２の治療信号と同時に１以上のリターン電極に送信できる、請求項１〜１１のいずれかに記載の電気外科装置。
【請求項１３】
前記第２単極モードにおいて、前記第１極及び前記第２極の両方が電気信号を同時に受信して、第１の単極治療電流及び第２の単極治療電流の両方を供給することを前記１以上のスイッチが可能にするように、制御装置が、前記１以上のスイッチを含むか又は前記１以上のスイッチと電気的に連通している、請求項２〜１２のいずれかに記載の電気外科装置。
【請求項１４】
前記側部電極が、前記ブレード電極を少なくとも部分的に取り囲む導電性管を含む、請求項１〜１３のいずれかに記載の電気外科装置。
【請求項１５】
前記導電性管が１以上のカットアウトを含み、当該カットアウトが、前記２つの面の少なくとも一部、前記１以上のファセットの一部、及び、前記１以上のファセットの前記遠位部が露出され且つ前記導電性管から遠位方向に突き出ることを可能にしている、請求項１４に記載の電気外科装置。
【発明の詳細な説明】
【技術分野】
【０００１】
本発明は、概して、２つの別個の単極モードで動作可能な電気外科ブレードに関する。この電気外科ブレードは、第１の単極モードでの精密切断のためのブレード、及び、第２の単極モードでの凝固切断用ブレードをユーザに提供するのに特に有用である。
【背景技術】
【０００２】
近年、電気外科装置の開発において、精密切断が、より長時間の切断が可能なように改善されてきた。これらの電気外科装置において、ブレード電極のエッジ（すなわち、ファセット）周囲の露出金属量を最小限にするために、非導電性コーティング（例えばガラス又はセラミック）が施されている。露出金属量を少量に制限することにより、電気エネルギーが電極の先端に集束される。さらに、これらのガラス及びセラミックコーティングは、その他の非導電性コーティング（例えば、シリコーンゴム又はＰＴＦＥ）のようには急速に破壊されない。
【０００３】
これらの被覆された電極は、改善された切断をもたらすが、この改善は、外科医に好都合なその他の性能特性を犠牲する。伝統的に、外科医は、凝固を提供する止血切断を行うために電気外科用ブレードを使用している。これらの改善された被覆電極ブレードにおいて、電気エネルギーが精密切断のために遠位端に向かって集束されるため、エネルギーは、切断中に小さい血管を焼灼するためにブレードの外側へ外向きに広がることができない。
【０００４】
これらのコーティングされた電気外科ブレードでは凝固を実行できないため、現在、２つの別個の単極装置を使用する外科医もいる。第１の単極装置が、微細に制御された切開のために使用される。この第１単極装置は、精密切断を提供し、微細制御切開を可能にする、コーティング（被覆）された電気外科用ブレードである。凝固を必要とする、より大きい領域の切断が望まれる場合には、第２の単極装置が使用される。第２の単極装置は、より迅速な切断及び凝固を可能にする伝統的な単極ペンシルである。
【発明の概要】
【発明が解決しようとする課題】
【０００５】
従って、微細に制御された切開のための精密切断と、凝固を伴う、より大きい領域のための切断との両方を提供できる単一の装置が必要である。２つの制御モード（例えば、２つの単極モード）で動作できる単一の装置が必要である。ブレードの先端に電気エネルギーを集束させて精密切断を提供でき、尚且つ、凝固のために、或る程度の電気エネルギーを外側に集束させ得る装置が必要である。
【課題を解決するための手段】
【０００６】
本開示は、電気外科装置に関する。この電気外科装置は、（ａ）当該電気外科装置における第１の極と、（ｂ）当該電気外科装置における第２の極とを備え、前記電気外科装置は、第１の単極モード又は第２の単極モードのいずれにおいても動作可能である。前記第１単極モードは前記第１極のみを利用する切断モードであり、前記第２単極モードは、前記第１極及び前記第２極の両方を利用する切断及び凝固モードである。
【０００７】
本開示は、電気外科装置に関する。この電気外科装置は、（ａ）第１の極と、（ｂ）第２の極と、（ｃ）ブレード電極とを備え、当該ブレード電極は、（ｉ）ほぼ対向している２つの面、及び、当該２つの面を接続している１以上のファセットを有する金属シムと、（ｉｉ）非導電性コーティングと、を有する。当該非導電性コーティングは、前記２つの面の少なくとも一方、及び、前記金属シムの前記１以上のファセットの一部を被覆し、一方、前記１以上のファセットの遠位部を、被覆しない状態に維持する。前記電気外科装置は、さらに、（ｄ）１以上の導電面を有する幅広のシムから構成された側部電極を備え、前記幅広シムは、前記ブレード電極に平行に、前記１以上の導電面の少なくとも１つが露出され且つ前記ブレード電極の遠位端が前記側部電極から突き出るように配置されている。前記側部電極は、前記ブレード電極に対して不動であるように固定されている。前記非導電性コーティングは、前記ブレード電極を前記側部電極から絶縁している。前記第１極は前記ブレード電極に接続され、前記第２極は前記側部電極に接続されている。
【０００８】
本開示は、電気外科装置に関する。この電気外科装置は、（ａ）第１の極と、（ｂ）第２の極と、（ｃ）ブレード電極とを備え、当該ブレード電極は、（ｉ）ほぼ対向している２つの面、及び、当該２つの面を接続している１以上のファセットを有する金属シムと、（ｉｉ）非導電性コーティングと、を有する。当該非導電性コーティングは、前記２つ以上の面の少なくとも一つ、及び、前記金属シムの前記１以上のファセットの一部を被覆し、一方、前記１以上のファセットの遠位部は、非導電性コーティングにより被覆されない状態に維持される。前記電気外科装置は、さらに、（ｄ）幅広のシムから構成された側部電極を備え、前記幅広シムは、前記ブレード電極に平行に、所定の導電面が露出され且つ前記ブレード電極の遠位端が前記側部電極から突き出るように配置されている。前記側部電極は、引き出し位置及び引き込み位置を有する。前記非導電性コーティングは、前記ブレード電極を前記側部電極から絶縁している。前記第１極は前記ブレード電極に接続され、前記第２極は前記側部電極に接続されている。
【０００９】
本開示は、電気外科装置に関する。この電気外科装置は、（ａ）第１の極と、（ｂ）第２の極と、（ｃ）ブレード電極とを備え、当該ブレード電極は、（ｉ）２つ以上の面、及び、当該２つ以上の面を接続している１以上のファセットを有する金属シムと、（ｉｉ）非導電性コーティングと、を有する。当該非導電性コーティングは、前記２つ以上の面の少なくとも一つ、及び、前記金属シムの前記１以上のファセットの一部を被覆し、一方、前記１以上のファセットの遠位部は、非導電性コーティングにより被覆されない状態に維持される。前記電気外科装置は、さらに、（ｄ）幅広のシムから構成された側部電極を備えており、前記幅広シムは、前記ブレード電極に平行に、所定の導電面が露出され且つ前記ブレード電極の遠位端が前記側部電極から突き出るように配置されている。前記側部電極は、前記側部電極に対する引き出し位置及び引き込み位置を有する。前記非導電性コーティングは、前記ブレード電極を前記側部電極から絶縁している。前記第１極は前記ブレード電極に接続され、前記第２極は前記側部電極に接続されている。
【００１０】
本開示は、本教示による電気外科装置を形成するための方法に関する。この方法は、（ａ）金属シムを非導電性コーティングで被覆するステップを含み、金属シムは、少なくとも１つの面と、遠位部を有する少なくとも１つのファセットと、近位端から延在する第１の電気リードとを含み、前記非導電性コーティングが、前記少なくとも１つの面及び前記少なくとも１つのファセットを覆う。前記方法は、さらに、（ｂ）非導電性コーティングを前記少なくとも１つのファセットの遠位部から除去するステップと、（ｃ）前記金属シムを、近位端から延在する第２の電気リードを有する導電性管内に挿入するステップと、（ｄ）前記導電性管を前記シム金属シムの周囲に圧着して前記金属シムを前記導電性管に固定するステップと、を含む。
【００１１】
本開示は、本教示による電気外科装置を形成するための方法に関する。この方法は、（ａ）金属シムの遠位エッジ部の一部をマスキングするステップと、（ｂ）金属シムを非導電性コーティングで被覆するステップとを含み、前記金属シムは、少なくとも１つの面と、遠位部を有する少なくとも１つのファセットと、近位端から延在する第１の電気リードとを含み、前記非導電性コーティングが、少なくとも１つの面及び少なくとも１つのファセットを覆う。前記方法は、さらに、（ｃ）マスクを除去して、前記少なくとも１つのファセットの遠位部を露出させるステップと、（ｄ）前記金属シムを、近位端から延在する第２の電気リードを有する導電性管内に挿入するステップと、（ｅ）前記導電性管を前記シム金属シムの周囲に圧着して前記金属シムを前記導電性管に固定するステップと、を含む。
【００１２】
本開示の電気外科装置は、微細な切開装置及び止血装置の両方を提供できる。ブレード電極が微細な切開を提供し、一方、側部電極が、止血及び切断を提供し得る。電気外科装置は、外科医により使用され得る単一の器具を提供する。ブレード電極は側部電極と協働し、これは、ブレード電極が第１の治療電流を印加し、側部電極が第２の治療電流を印加するように行われる。第１治療電流は、微細切開及び／又は精密切断のために使用され得る。第２治療電流、又は、第１及び第２の両方の治療電流の組合せが、凝固又は止血を伴う切断のために使用され得る。非導電性コーティング及び／又は導電性コーティングは、精密切断、凝固を伴う切断、又はこれらの両方のために、治療電流又は信号を、前記ブレード電極、前記側部電極、又はこれらの両方の所望の領域に集束させ得る。
【図面の簡単な説明】
【００１３】
【図１】電気外科装置の斜視図である。
【図２】電気外科装置のブレードの斜視図である。
【図３】ブレード電極の金属シムを示す。
【図４】ブレード電極を示す。
【図５】ブレード電極を部分的に取り囲む側部電極を示す。
【図６】電気外科装置のハンドピースを示す。
【図７】電気外科装置のハンドピースを示す。
【図８】電気外科装置のブレードの引き込み位置における図である。
【図９】電気外科装置のブレードの引き出し位置における図である。
【図１０】電気外科装置のブレードの断面図である。
【図１１】本開示による電気外科装置のブレードの引き込み位置における側面図である。
【図１２】本開示による電気外科装置のブレードの引き出し位置における側面図である。
【図１３】図１２のブレード電極の線Ａ−Ａに沿った断面図である。
【図１４】本開示による装置に接続された電気外科システムのデュアル単極回路を示す。
【図１５】複数のリターン電極を有する電気外科システムの回路の一部を示す。
【図１６】リターン電極間のスイッチを含む複数のリターン電極を含む回路の一部を示す。
【図１７】２つのスイッチを有するリターン経路を含む部分回路を示す。
【図１８Ａ】デュアル単極回路の電気回路の非電気外科モードにおける図である。
【図１８Ｂ】デュアル単極回路の電気回路の第１の単極モードにおける図である。
【図１８Ｃ】デュアル単極回路の電気回路の第１の単極モードにおける図である。
【図１８Ｄ】デュアル単極回路の電気回路の第２の単極モードにおける図である。
【図１８Ｅ】デュアル単極回路の電気回路の第２の単極モードにおける図である。
【発明を実施するための形態】
【００１４】
本明細書に提示される説明及び例は、本発明の教示、本発明の原理、及び本発明の実際の適用を当業者に知らせるためのものである。記載された本発明の教示の特定の実施形態は、本教示に関して網羅的又は限定的であることを意図されていない。本教示の範囲は、添付の特許請求の範囲、及び、これらの特許請求の範囲が権利を与える均等物の全範囲を参照して決定されるべきである。特許出願及び刊行物を含む全ての記事及び参照文献の開示を、全ての目的のために参照により本出願に援用する。以下の特許請求の範囲から収集されるようなその他の組合せも可能であり、これらもまた、参照により本明細書の記載に援用する。
【００１５】
本教示は、電気外科装置に関する。電気外科装置はハンドピースを含み得る。電気外科装置は、外科手術を行うために外科医により使用され得る。電気外科装置は、２つ以上の構成、２つ以上のモード、又はこれらの両方の間で切り替えられるように機能し得る。例えば、電気外科装置は、第１の単極構成と第２の単極構成との間で切り替えられ得る。別の例において、電気外科装置は、第１の単極構成又は第２の単極構成のいずれかとデュアル単極構成との間で切り換えられ得る。電気外科装置は、ユーザの手により、２つ以上の構成の間で切り替えられ得る。ユーザは、２つ以上の構成間を、処置を中断せずに済むように片手で（もう片方の手を必要とせずに）切り替えられ得る。電気外科装置を、両手で使用しても、構成間で両手で切り替えても、或いは、これらの両方を行ってもよい。電気外科装置を、切断、止血、凝固、乾燥、高周波凝固、電気焼灼、又はこれらの任意の組合せを行うために使用し得る。電気外科装置は、単極性能、双極性能、非電気外科性能、又はこれらの組合せを含み得る。電気外科装置を開腹手術にも使用できる。電気外科装置を、切断のために、若しくは外科用メスとして、又はこれらの両方に使用できる。電気外科装置は、ハンドピース及びエネルギー源（例えば、発電機）を含み得る。電気外科装置は、ハンドピースとエネルギー源との間を流れる１以上の治療信号を有し得る。
【００１６】
電気外科装置、電気外科システム、又はこれらの両方は、１以上の治療信号を送信し得る。１以上の治療信号は、電気外科装置に電力を供給し、治療電流を生成し、１以上の単極電流を生成し、１以上の双極電流を生成し、又はこれらの任意の組合せを行うように機能し得る。１以上の治療信号は、ハンドピース、エネルギー源（例えば、発電機）、又はこれらの両方により形成され得る。治療信号は治療電流であり得る。１以上の治療信号は、ユーザがステップを実行していて、治療電流、エネルギー又はこれらの両方が生成されるように信号が送信されていることを示し得る。１以上の治療信号は、１以上の治療電流が生成されるように信号を提供し得る。１以上の治療電流が電気外科のために使用され得る。１以上の治療信号は、活性化された回路が１以上のスイッチ状態にあるとき、若しくは、電気外科装置が１以上の構成にあるとき、又はこれらの両方において伝達され得る。１以上の治療信号は、活性化回路及び／又はハンドピースが、非電気外科モード及び／若しくは電源オフモード、又はこれらの両方のモードにあるときに、発生されず、及び／又は、ハンドピースから放出されないであろう。１以上の治療信号は、単極治療信号、複数の単極治療信号の組合せ、双極治療信号、複数の双極治療信号の組合せ、又は、これらの任意の組合せであり得る。１以上の治療信号は、第１の単極治療信号、第２の単極治療信号、又はこれらの両方を含み得る。１以上の治療信号は、米国特許公報第２０１５／０１１９８８５号に記載されている治療信号として理解されてよい。この公報を本明細書に、全ての目的のために援用する。
【００１７】
電気外科装置、電気外科システム、又はこれらの両方が、１以上の単極治療信号を送信し得る。単極治療信号は、電気外科装置の１以上の構成要素に電力を提供するように、切断治療信号を提供するように、切断及び凝固治療信号を提供するように、或いは、これらの組合せを行うように機能し得る。単極治療信号は、エネルギー源（例えば、発電機）のリターンポートとアクティブポートとの電圧差を有する任意の信号であり得る。単極治療信号は、電気外科装置により印加されたときに、電気外科装置の一方の極から、別の極（電気外科装置の外部若しくは、ハンドピースの外部の離れた場所、又はこれらの任意の組合せの場所）に流れる任意の信号であり得る。例えば、単極治療信号は、側部電極、ブレード電極、又はこれらの両方から１以上のリターン電極に流れ得る。リターン電極は１以上の接地パッドを含み得る。接地パッドは、手術部位から離れた位置にて患者に取り付けられ得る。
【００１８】
双極治療信号は、２つのリード（電気外科装置に接続されているか、エネルギー源（例えば、発電機）内に配置されているか、又はこれらの両方）間の電圧差を有し得る。双極治療信号は、電気外科装置により印加されたときに、ハンドピースの１つの構成要素からハンドピースの別の構成要素に流れる信号であり得る。例えば、双極治療信号は、側部電極からブレード電極に、側部電極の一部から側部電極の別の部分に、又はこれらの両方に流れる信号であり得る。１以上の治療信号を切り替えるために、電気外科装置の１以上の構成要素を１以上の構成に移動させ得る。
【００１９】
電気外科装置は、複数の構成及び／又はモードを含み得る。これらの構成及び／又はモードは、電気外科装置の機械的再構成、電気的再構成、信号的再構成のための、及び／又は、これらの再構成とは異なる、若しくはこれらの再構成の任意の組合せのための任意の構成であり得る。複数の構成及び／又はモードは、第１の単極モード、切断モード、第２の単極モード、切断及び凝固モード、双極モード、非電気外科モード、電源オフモード、又はこれらの任意の組合せを含み得る。電気外科装置は、１以上の構成及び／又はモードから、１以上のその他の構成及び／又はモードに移行され得る。少なくとも１つの構成が、治療電流（例えば、第１の治療電流、第２の治療電流、又はこれらの両方）を印加し得る。治療電流は、単極エネルギー、単極電流、双極エネルギー、双極電流、又はこれらの任意の組合せを含み得る。
【００２０】
電気外科装置は、単極エネルギー又は単極電流を伝達し得る。単極エネルギー又は電流は、印加中に電気外科装置の１つの極から別の極（離れた場所、電気外科装置の外部、ハンドピースの外部、又はこれらの任意の組合せに位置する）に流れ得る任意の電源であり得る。単極エネルギーは、ハンドピースの１つの構成要素からハンドピースの一部ではない構成要素に流れるエネルギーであり得る。離れた場所に位置する別の極は、１以上のリターン電極を含み得る。１以上のリターン電極は１以上の接地パッドを含み得る。ブレード電極からリターン電極に流れるエネルギーは単極エネルギーであり得る。側部電極からリターン電極に流れるエネルギーは、単極エネルギーであり得る。電気外科装置は、複数の単極エネルギー又は単極電流モードを含むか、又はこれらを動作させ得る。例えば、電気外科装置は、第１の単極モード、第２の単極モード、又はこれらの両方で動作し得る。第１の単極モードは切断モードであり得る。第１の単極モードは、精密な外科切断のための治療電流を印加するのに有用であり得る。第２の単極モードは、切断及び凝固モードであり得る。第２の単極モードは、切断、凝固、止血、又はこれらの任意の組合せに適した治療電流を印加するのに有用であり得る。
【００２１】
電気外科装置は、非電気外科構成を含み得る。非電気外科構成は、ハンドピース、ブレード電極、側部電極、リターン電極、又はこれらの任意の組合せに電力が供給されない電気外科装置の構成として機能し得る。電気外科装置の非電気外科構成は、ハンドピース、ブレード電極、側部電極、リターン電極、又はこれらの任意の組合せに電力が供給されない任意の構成であり得る。非電気外科構成は、電気外科装置が外科用メスとして治療電流無しで使用されているか或いは使用されていない（すなわち電源オフ状態）の場合に用いられ得る。非電気外科モード又は構成は、ボタンを押すこと、スイッチを移動させること、側部電極の引き込み又は引き出し、ブレード電極の引き込み又は引き出し、又はこれらの任意の組合せにより、任意のその他の構成に切り替えられ得る。
【００２２】
電気外科装置は、第１の単極モードを含み得る。第１単極モードは、第１の治療電流、第１の単極治療信号、第１の単極電流、又はこれらの任意の組合せを送信するように機能し得る。第１単極モードは、治療信号をブレード電極の遠位部に集束させるように機能し得る。第１単極モードは切断モードであり得る。第１単極モードは、ユーザ（すなわち、外科医）が、組織を切断し、血液及び／又は体液を凝固させ、電気切断、止血を行い、大きい領域に電力を印加し、局所領域に電力を印加し、又はこれらの任意の組合せを行うことを可能にする。単極モードは、局所領域における精密切断を提供し得る。第１単極モードは、特定の領域の加熱、電極間の物体（例えば、組織）の加熱、電極に接触している物体の加熱、又は、これらの任意の組合せに用いられ得る。第１単極モードは、繊細な電気外科手術、局所的な電気外科手術、凝固、切断、又はこれらの任意の組合せに用いられ得る。第１単極モードは、第２単極モードと比較した場合、より繊細な処置、より局所的な電気外科手術、又はこれらの両方に用いられ得る。
【００２３】
第１単極モードにおいて、電気外科装置は、ハンドピースの構成要素及びリターン電極を介して電力を供給し得る。リターン電極は、ハンドピースの外部の別の場所に、又は、ハンドピース構成要素及び隣接するハンドピース構成要素内に、又はこれらの両方の場所に配置され得る。第１単極モードにおいて、ブレード電極はリターン電極と電気的に連通し得る。第１単極モードは、電気外科装置が単極電力をブレード電極により印加するために用いられ得る任意の構成であり得る。第１単極モードにおいて、ブレード電極が、側部電極から少なくとも部分的に突き出ても、ハンドピース及び／若しくは側部電極から、又はこれらに対して引き出されてもよく、側部電極が、ハンドピース内及び／若しくは側部電極内に、又はこれらに対して引き込まれてもよく、或いはこれらの任意の組合せもあり得る。第１単極モードにおいて、電気外科装置は、第１極及びリターン電極のみを利用し得る。第１単極モードにおいて、側部電極は、治療信号、電流、電力、又はこれらの任意の組合せを受信しなくてよい。電気外科装置は、第１単極モードを連続的に、且つ／又は、第２の単極モードと同時に動作させ得る。第１単極モードは、１以上のボタンを電気的に接続すること、１以上のボタンを押すこと、１以上のスイッチを移動させること、１以上のシャトルを移動させること、活性化回路の全部又は一部を電気的に接続すること、ブレード電極を電気的に接続すること、ブレード電極を引き出すこと、ブレード電極をリターン電極に電気的に接続すること、側部電極を電気的に切断すること、側部電極を引き込むこと、又はこれらの任意の組合せにより作動（活性化）され得る。第１単極モードは、以下の手順により停止（不活性化）され得る。すなわち、１以上のボタンを電気的に切断すること、１以上のボタンを押すこと、１以上のスイッチを移動させること、１以上のシャトルを移動させること、活性化回路の全部又は一部を電気的に切断すること、ブレード電極を電気的に切断すること、ブレード電極を引き込むこと、ブレード電極の、リターン電極への電気的接続を断つこと、側部電極を電気的に接続すること、側部電極を引き出すこと、又はこれらの任意の組合せである。
【００２４】
電気外科装置は、第２の単極モードを含み得る。第２単極モードは、第１の治療電流、第１の単極治療信号、第２の治療電流、第２の単極治療信号、第２の単極電流、又はこれらの任意の組合せを伝達するように機能し得る。第２単極モードは、複数の治療信号及び／又は電流が同時に伝達されることを可能にする。第２単極モードは、治療信号を、側部電極、ブレード電極、又はこれらの両方に印加するように機能し得る。第２単極モードは切断及び凝固モードであり得る。第２単極モードは、ユーザ（すなわち、外科医）が、組織を切断し、血液及び／又は体液を凝固させ、電気切断、止血を行い、大きい領域に電力を印加し、局所領域に電力を印加し、又はこれらの任意の組合せを行うことを可能にする。第２単極モードは、局所領域における切断及び凝固を提供し得る。第２単極モードは、特定の領域の加熱、電極間の物体（例えば、組織）の加熱、電極に接触している物体の加熱、又は、これらの任意の組合せに用いられ得る。第２単極モードは、繊細な電気外科手術、局所的な電気外科手術、凝固、切断、又はこれらの任意の組合せに用いられ得る。第２単極モードは、第１単極モードと比較した場合、より繊細でない処置、より局所的でない電気外科手術、又はこれらの両方に用いられ得る。
【００２５】
第２単極モードにおいて、ブレード電極、側部電極、又はこれらの両方が、１以上のリターン電極と電気的に連通し得る。第２単極モードにおいて、ブレード電極が、側部電極から少なくとも部分的に突き出ても、側部電極の端部と同一平面上にあっても、ハンドピース及び／又は側部電極内に引き込まれていてもよく、また、側部電極が、ハンドピース及び／又は側部電極から、及び／又はこれらに対して引き出されていてもよく、或いはこれらの任意の組合せもあり得る。第２単極モードにおいて、外科手術装置は、第１の極及び／又は第２の極、並びに１以上のリターン電極を利用し得る。第２単極モードにおいて、側部電極及び／又は側部電極及びブレード電極の両方が、治療電流信号（例えば、単極治療信号）を受信し得る。第２単極モードにおいて、側部電極及び／又はブレード電極が、治療信号を１以上のリターン電極に送信し得る。第２単極モードにおいて、ブレード電極が第１の治療電流を１以上のリターン電極に送信でき、側部電極が第２の治療電流を１以上のリターン電極に送信でき、或いは、ブレード電極及び側部電極の両方が、これらの治療信号を１以上のリターン電極に送信し得る。電気外科装置は、第２単極モードを連続的に、且つ／又は、第１単極モードと同時に動作させ得る。第２単極モードは、１以上のボタンを電気的に接続すること、１以上のボタンを押すこと、１以上のスイッチを移動させること、１以上のシャトルを移動させること、活性化回路の全部又は一部を電気的に接続すること、側部電極を電気的に接続すること、ブレード電極をリターン電極から電気的に切断すること、側部電極を引き出すこと、側部電極及び／又はブレード電極をリターン電極に電気的に接続すること、ブレード電極を引き込むこと、又はこれらの任意の組合せにより作動され得る。第２単極モードは、以下の手順により停止化され得る。すなわち、１以上のボタンを電気的に切断すること、１以上のボタンを押すこと、１以上のスイッチを移動させること、１以上のシャトルを移動させること、活性化回路の全部又は一部を電気的に切断すること、側部電極を電気的に切断すること、側部電極を引き込むこと、側部電極をリターン電極から電気的に切断すること、ブレード電極を電気的に接続すること、ブレード電極を電気的に切断すること、ブレード電極を引き出すこと、又はこれらの任意の組合せである。
【００２６】
電気外科装置は、双極モードを含み得る。双極モードは、電気外科装置の一部から電気外科装置の第２の部分に電力を供給し得る。双極モードにおいて、電力のリターン経路の距離は、１以上の単極モードの１以上のリターン経路の距離と比較して、相対的に短くてよい。双極モードは、電気外科装置が双極電力を印加するために用いられ得る任意の構成であり得る。双極モードにおける電気外科装置は、局所的なハンドピース構成要素（例えば、ブレード電極、側部電極の１以上の部分、又はこれらの両方）の間に電力を供給し得る。双極モードは、凝固、止血、切断、高周波凝固、又はこれらの組合せに用いられ得る。双極モードにおいて、側部電極が、ハンドピース及び／又はブレード電極に対して引き出され及び／又は引き込まれてもよく、ブレード電極がハンドピース及び／又はブレード電極に対して引き込まれ及び／又は引き出されてもよく、ブレード電極が側部電極から少なくとも部分的に突き出てもよく、１以上のボタンが押されてもよく、シャトルが移動されてもよく、又はこれらの任意の組合せもあり得る。双極モードにおいて、双極電流経路は、側部電極からブレード電極への経路、及び／又は、その逆方向の経路であり得る。双極モードにおいて、双極電流経路は、１つの導電部（すなわち、１つの導電面）から別の導電部（すなわち、反対側の導電面）までであり得る。
【００２７】
電気外科装置はブレードを含む。ブレードは、以下のように機能し得る。すなわち、処置中に単極電力を印加する、処置中に双極電力を印加する、精密切断を提供する、大きい切断を提供する、止血、凝固及び／若しくは高周波凝固を提供する、又は、これらの任意の組合せである。ブレードは、ブレード電極及び側部電極を含む。ブレードは、ユーザがブレードを操作し得るように部分的にハンドピース内に配置され得る。ブレードの部分の一部又は全部は、ハンドピース、ブレードのその他の部分、又はこれらの両方に対して、可動であっても、固定されていても、又はこれらの両方であってもよい。ブレード電極と側部電極とは、様々な切断様式、凝固、止血、高周波凝固、又はこれらの任意の組合せを提供するように互いに協働し得る。
【００２８】
電気外科装置はブレード電極を含む。ブレード電極は、処置中に単極電力を印加でき、長手方向に移動可能であり得、回転可能であり得、引き出し可能であり得、引き込み可能であり得、静的(static)であり得、精密切断を提供でき、止血若しくは凝固を実行でき、又は、これらの任意の組合せを実行し得る。ブレード電極は、電気外科装置の電極（すなわち、第１の極）に電気的に接続するように、及び／又はこの電極を含むように機能し得る。ブレード電極は、側部電極、ハンドピース、又はこれらの両方に対して静的であり得る。ブレード電極は、側部電極、ハンドピース、又はこれらの両方に対して移動可能であり得る。ブレード電極は、側部電極の一部に対して平行であり得る。ブレード電極の１以上の面は、側部電極の１以上の面に対して平行であり得る。ブレード電極は、少なくとも部分的に側部電極内に配置され得る。ブレード電極は、少なくとも部分的に側部電極から突出し得る。ブレード電極は、金属シム、非伝導性（例えば、非導電性）コーティング、伝導性（例えば、導電性）コーティング、第１のリード、第１の極、又はこれらの任意の組合せを含み得る。ブレード電極は、１以上の単極モード、１以上の双極モード、又はこれらの任意の組合せで動作し得る。
【００２９】
ブレード電極は、１以上の動作位置を含み得る。１以上の動作位置は、治療信号を伝達するように、若しくは、電気外科手術装置を特定のモードに構成するように、又はこれらの両方を行うように機能し得る。ブレード電極は、治療信号を伝達するための、装置を特定のモードに構成するための、又はこれらの両方のための任意の適切な位置を有し得る。ブレード電極は、側部電極に対して固定されていても、側部電極に対して移動可能であってもよく、ハンドピースに対して固定されていても、ハンドピースに対して移動可能であってもよく、或いは、これらの任意の組合せであり得る。ブレード電極は、第１の単極モード位置、第２の単極モード位置、双極モード位置、又はこれらの任意の組合せを有し得る。第１単極モード位置は、ブレード電極の、第１の単極電流及び／又は治療信号を印加するのに適した任意の位置であり得る。第１単極モード位置は、ブレード電極が側部電極から部分的に突出し又は露出された位置、ブレード電極の遠位部が側部電極から突出し又は露出された位置、ブレード電極の遠位部が側部電極と同一平面上又はほぼ同一平面にある位置、ブレード電極がハンドピースに対して引き出された位置、ブレード電極がハンドピースに対して固定された位置、ブレード電極が側部電極に対して引き出された位置、ブレード電極が側部電極に対して不動である位置、又はこれらの任意の組合せを含み得る。第２の単極モード位置は、側部電極の、第２の単極電流及び／又は治療信号を印加するのに適した任意の位置であり得る。第２の単極モード位置は、ブレード電極が側部電極から部分的に突出し又は露出された位置、ブレード電極の遠位部が側部電極から突出し又は露出された位置、ブレード電極の遠位部が側部電極と同一平面上又はほぼ同一面にある位置、ブレード電極がハンドピースに対して引き込まれた位置、ブレード電極がハンドピースに対して固定された位置、ブレード電極が側部電極に対して引き込まれた位置、ブレード電極が側部電極に対して不動である位置、又はこれらの任意の組合せを含み得る。双極モード動作位置は、第１単極モード及び／又は第２単極モードからのブレード電極の動作位置の任意の１つ又は組合せであり得る。ブレード電極の移動（例えば、引き込み及び／又は引き出し）は、ブレード、ハンドピース、側部電極、又はこれらの任意の組合せの長手方向軸に沿って行われ得る。ブレード電極は、ブレード電極をハンドピース、側部電極、又はこれらの両方に対して移動させ得る１以上の構成要素に連通されるか又は取り付けられ得る。ブレード電極は、ブレード電極をハンドピース、側部電極、又はこれらの両方に対して移動させる１以上のシャトル、スイッチ、ボタン、又はこれらの組合せに連通されるか又は取り付けられ得る。
【００３０】
ブレード電極は金属シムを含み得る。金属シムは、精密切断を提供でき、治療信号を伝達でき、側部電極の１以上の導電面を分離若しくは離間でき、又は、これらの任意の組合せを行い得る。金属シムは、精密切断、治療信号、又はこれらの両方を提供するための任意の形状であり得る。金属シムは、１つの材料又は様々な材料から作製され得る。金属シムは、コア材料及び外側材料を含み得る。外側の材料はコア材料を挟み得る。金属シムは、ステンレス鋼、銅、銀、チタン、金属、外科用鋼、良好な放熱特性を有する金属、低い放熱特性を有する金属、高い熱伝導率を有する材料、又はこれらの任意の組合せから作製され得る。コア材料は、金属シムの迅速な熱伝達を促進し得る。迅速な熱伝達は、使用中の金属シム及び／又はブレード電極への組織の付着及び炭化を防止し得る。例えば、金属シムの遠位部をコア材料から作製しても、或いは、迅速な熱伝達を促進するコア材料を露出させてもよい。例示的なコア材料は銅を含み得る。外側の材料はブレード電極に構造強度を与える。この構造強度により、ブレードを、組織処置、例えば切断に使用できる。例示的な外側材料は、ステンレス鋼を含み得る。１つより多数の材料から構成され、コア材料を有し、外側材料を有し、又はこれらの任意の組合せを有する金属シムは、単一の材料から構成された金属シムよりも迅速な冷却をもたらし得る。金属シムは、ブレード電極のその他の構成要素（例えば、非導電性コーティング）とは異なる熱伝導率を有し得る。金属シムは、遠位端及び近位端を有し得る。金属シムの近位端は、ハンドピース内に（例えばハンドピースのチャネル内に）配置され得る。遠位端は近位端に対向し得る。金属シムは先細（テーパ）状であり得る。金属シムは、遠位テーパ（例えば、金属シムの断面が近位端から遠位端へと小さくなる）、プロファイルテーパ（例えば、金属シムが１以上のファセットに向かって幅狭になる）、又はこれらの両方を有し得る。テーパは、金属シムの遠位端を比較的鋭利にさせ得る。鋭利性を有することにより、金属シムは、電源オフの（すなわち、治療電流が流れていない）状態であっても、組織を切断するのに適し得る。
【００３１】
金属シムは、２つ以上の面を含み得る。２つ以上の面は互いにほぼ対向し得る。２つ以上の面は互いに離隔され得る。２つ以上の面は、これらの面内を通る受容部を有し得る。２つ以上の面は、１以上のファセット、１以上のエッジ、又はこれらの両方により互いに接合され得る。１以上のファセットは、１以上のファセット、２つ以上のファセット、３つ以上のファセット、４つ以上のファセット、又はそれより多数のファセットも含み得る。１以上のファセットは、金属シムの周囲の少なくとも一部の周囲に配置され得る。１以上のファセットは、２つ以上の面のうちの少なくとも１つから離れる方向及び／又は近づく方向に突出しても、ブレードの長手方向軸から離れる方向に突出しても、或いは、これらの両方であってもよい。１以上のファセットの、外部に面した１以上の面が、１以上の面の外部に面した隣接する面に対して、より大きな角度を有し得る。ファセットの外面と、所定の面の隣接する外面との間の角度は鈍角であり得る。ファセットと、隣接する外面との間の角度は、ブレード電極の遠位部を、組織を切断するのに十分に鋭利であることを可能にする。１以上のファセットは、ほぼ平面、非平面、又はこれらの両方であり得る。１以上のファセットは、電気外科装置が電源オフ状態であっても組織の切断を可能にするために、比較的鋭利であり得る。１以上のファセットは、１以上の面を１以上のエッジにて接続し得る。１以上のエッジは、１以上のファセットと１以上の面との間の線接触及び／又はベベルエッジであり得る。１以上の面、１以上のファセット、１以上のエッジ、又はこれらの任意の組合せは、少なくとも部分的に非コーティング状態であっても、非導電性コーティングを含んでも、導電性コーティングを含んでも、又はこれらの任意の組合せであってもよい。
【００３２】
電気外科装置は、非導電性コーティングを含む。非導電性コーティングは、治療信号を集束させ、ベース材料の改善された熱放散を提供し、治療信号から絶縁し、腐食を防止し、ブレード電極、側部電極、金属シム、幅広シムの１以上の面を被覆し、又は、これらの任意の組合せを行うように機能し得る。非導電性コーティングは、電気的に非伝導性のコーティングであり得る。非導電性コーティングは、側部電極、ブレード電極、又はこれらの両方の少なくとも一部を覆い得る。非導電性コーティングは、１つの材料又は様々な材料から作製され得る。非導電性コーティングは、ポリマー、エラストマ、シリコン、ガラス、セラミック、シリコーンゴム、ポリテトラフルオロエチレン（ＰＴＦＥ）、クロム、窒化物、窒化クロム、アルミナなど、又はこれらの任意の組合せであり得る。非導電性コーティングは、ブレード電極の全部、ブレード電極の一部、側部電極の全部、及び／又は側部電極の一部にわたって延在し得る。非導電性コーティングは、金属シムの、活性領域を除いたほぼ全域に延在し、且つこれを覆い得る。非導電性コーティングは、側部電極の遠位部の周囲に、活性領域に隣接して延在し得る。活性領域は、金属シムの１以上のファセットを遠位端に含み得る。活性領域は側部電極の遠位端を含み得る。側部電極の活性領域は、ブレード電極の遠位端と同一平面、又はほぼ同一平面であり得る（例えば、ブレード電極が側部電極内に引き込まれたときに）。
【００３３】
非導電性コーティングを施すことは、金属シムを非導電性コーティングで被覆することを含み得る。非導電性コーティングは、少なくとも１つの面、１以上のファセット、１以上のファセットの遠位部、又はこれらの組合せに施され得る。非導電性コーティングは、金属シムの少なくとも一部から除去され得る。除去により、少なくとも１つのファセットの１以上の面（例えば、活性領域及び／又は遠位部）が露出され得る（すなわち、非導電性コーティングで被覆されない）。除去は、コーティングを溶媒により物理的に除去するステップ、マスクを除去するステップ、コーティングを掻き取るステップなど、又はこれらの組合せを含み得る。最初に金属シムをマスク（マスキング）し得る。マスクは、非導電性コーティングを施した後に除去され得る任意の除去可能な材料を含み得る。マスクは、除去可能な接着材料、例えばテープを含み得る。マスクは、具体的には、金属シムの、露出されたままにされる面（例えば、少なくとも１つのファセットの活性領域及び／又は遠位部）に施され得る。
【００３４】
非導電性コーティングは、金属シムの少なくとも１つの面及びファセットの一部を被覆し得る。非導電性コーティングは、金属シムの１以上のファセットの全表面積の約５％〜約９５％を覆い得る。非導電性は、金属シムの１以上のファセットの全表面積の約５０％以上、約５５％以上、又は約６０％以上も覆い得る。非導電性コーティングは、金属シムの１以上のファセットの全表面積の約９５％以下、約９０％以下、又は約８５％以下も覆い得る。ファセットの遠位部は、非導電性コーティングにより覆われないままであってよい。活性領域（すなわち、ファセットの遠位部）を被覆しない状態にしておくことにより、治療信号を、金属シムのファセットの遠位部、側部電極の遠位端、又はこれらの両方に向かって集束させることが可能である。集束された治療信号は精密切断を提供する。
【００３５】
非導電性コーティングは、ブレード電極が側部電極と直接接触する１以上の領域において、ブレード電極、側部電極、又はこれらの両方に配置され得る。非導電性コーティングは、金属シムの１以上の受容チャネル、１以上の面、又はこれらの両方を被覆し得る。非導電性コーティングは、幅広シム及び／又は側部電極の、１以上の非導電性面、１以上の係合部、又はこれらの両方を被覆し得る。非導電性コーティングは、ブレード電極を側部電極から絶縁し得る。ブレード電極を側部電極から絶縁するために、ブレード電極の、側部電極に接触している１以上の面の任意の面を、非導電性コーティングにより部分的に又は完全に被覆し得る。ブレード電極の１以上の面の表面積の約７０％以上、約７５％以上、約８０％以上を、又は約８５％以上も、非導電性コーティングで被覆し得る。ブレード電極の１以上の面の表面積の約１００％以下、約９５％以下を、又は約９０％以下も、非導電性コーティングにより被覆し得る。ブレード電極を側部電極から絶縁し、且つ／又は金属シムと幅広シムとの直接接触を防止するために、ブレード電極の非導電性コーティングの表面積の約１５％〜約９５％を、又は２０％〜約９０％も、側部電極と直接接触し得る。金属シムと幅広シムとの直接的な接触を絶縁及び防止するために、ブレード電極の非導電性コーティングの表面積の約７０％以上、約７５％以上、約８０％以上が、又は約８５％以上も、側部電極と直接接触し得る。金属シムと幅広シムとの直接接触を絶縁及び防止するために、ブレード電極の非導電性コーティングの表面積の約１００％以下、約９５％以下が、又は約９０％以下も、側部電極と直接接触し得る。側部電極が引き込み位置と引き出し位置の両方を有する場合、側部電極が引き込み位置にあるときに、ブレード電極の非導電性コーティングの表面積の約１５％〜約８５％が側部電極と直接接触し得る。側部電極が引き込み位置と引き出し位置の両方を有する場合、側部電極が引き出し位置にあるときに、ブレード電極の非導電性コーティングの表面積の約２０％〜約９０％が側部電極と直接接触する。ブレード電極が引き込み位置と引き出し位置の両方を有する場合、ブレード電極が引き出し位置にあるときに、ブレード電極の非導電性コーティングの表面積の約１５％〜約８５％が側部電極と直接接触し得る。ブレード電極が引き込み位置と引き出し位置の両方を有する場合、ブレード電極が引き込み位置にあるときに、ブレード電極の非導電性コーティングの表面積の約２０％〜約９０％が側部電極と直接接触する。非導電性コーティングは、導電性コーティングと協働して治療信号を集束させ得る。
【００３６】
電気外科装置は、導電性コーティングを含み得る。導電性コーティングは、治療信号を集束させ、ベース材料の改善された熱放散を提供し、ベース材料に構造強度を付与し、治療信号から絶縁し、腐食を防止し、非粘着性の表面を提供し、ブレード電極、側部電極、金属シム、幅広シムの１以上の面を被覆し、又は、これらの任意の組合せを行うように機能し得る。導電性コーティングは、側部電極、ブレード電極、又はこれらの両方の少なくとも一部を被覆し得る。導電性コーティングは、１つの材料又は様々な材料から作製され得る。導電性コーティングは、セラミック、チタン、窒化物、窒化チタンなど、又はこれらの任意の組合せから作製され得る。導電性コーティングは、金属シムの一部の周囲に延在し得る。導電性コーティングは、金属シム、側部電極、又はこれらの両方の活性領域を被覆し得る。活性領域は、遠位端にある金属シムの１以上のファセット、１以上の面、１以上のエッジ、又はこれらの任意の組合せを含み得る。活性領域は、側部電極の遠位端を含み得る。側部電極の遠位端の活性領域は、ブレード電極に隣接していても、ブレード電極の活性領域に隣接していても、又はこれらの両方であってもよい。側部電極の活性領域は、ブレード電極の遠位端と同一平面、又はほぼ同一平面であり得る（例えば、ブレード電極が側部電極内に引き込まれたときに）。導電性コーティングは、非導電性コーティングから離間されても、及び／又は、非導電性コーティングに隣接していてもよい。導電性コーティングは、１以上のファセットの表面積の約５％以上、約１０％以上を、又は約１５％以上も被覆し得る。導電性コーティングは、１以上のファセットの約５０％以下、約４５％以下、約４０％以下を、又は約３５％以下も被覆し得る。
【００３７】
ブレード電極は、受容部を含み得る。受容部は、ブレード電極を側部電極に係合させ、側部電極をブレード電極に取り付け、側部電極と協働し、ブレード電極を移動させ、側部電極を移動させ、又はこれらの任意の組合せを行うように機能し得る。受容部は、ブレード電極を側部電極に係合させ、側部電極をブレード電極に取り付け、ブレード電極を側部電極と協働させ、ブレード電極を移動させ、側部電極を移動させ、又はこれらの任意の組合せを行うことを可能にするための任意の寸法、形状であり得、且つ／又は、ブレード電極の任意の場所に配置され得る。受容部は、１以上のトラック、溝、ノッチ、インデントなど、又はこれらの任意の組合せを含み得る。受容部は、ブレードの長手方向軸に沿ったトラックであり得る。トラックは、ブレード電極の厚さの一部又は全体に延在し得る。受容部は、側部電極の係合部を受け入れ得る。受容部は、係合部が受容部に対して移動すること、受容部が係合部に対してスライドすること、又はこれらの両方を可能にし得る。受容部は、ブレード電極、側部電極、又はこれらの両方が１以上の動作位置に配置されることを可能にする。受容部は、側部電極から電気的に絶縁され得る。受容部は、非導電性コーティング内に、少なくとも部分的に又は完全に被覆され得る。引き出し位置又は引き込み位置のいずれかにて側部電極の表面と接触し得る受容部の任意の表面が、非導電性（例えば、電気的に非伝導性）のコーティングで被覆され得る。
【００３８】
電気外科装置は、側部電極を含む。側部電極は、処置中に単極電力を印加でき、長手方向に移動可能であり得、回転可能であり得、引き出し可能であり得、引き込み可能であり得、静的であり得、切断を提供でき、止血若しくは凝固を実行でき、又は、これらの任意の組合せを行い得る。側部電極は、電気外科装置の電極（すなわち、第２の極）に電気的に接続するように、且つ／又はこの電極を含むように機能し得る。側部電極は、ブレード電極、ハンドピース、又はこれらの両方に対して静的（不動）であり得る。側部電極は、ブレード電極、ハンドピース、又はこれらの両方に対して移動可能であり得る。側部電極は、ブレード電極の一部に対して少なくとも部分的に平行であり得る。側部電極は、ブレード電極を部分的に取り囲んでも、部分的に包囲しても、完全に取り囲んでも、完全に包囲してもよく、又はこれらの任意の組合せを行い得る。側部電極は、ブレード電極の少なくとも一部が側部電極から突き出ることを可能にし得る。側部電極は、幅広シム、非導電性コーティング、第２のリード、第２の極、又はこれらの任意の組合せを含み得る。
【００３９】
側部電極は幅広シムを含む。幅広シムは、切断、凝固を提供でき、治療信号を伝達でき、又はこれらの任意の組合せを行い得る。幅広シムは、切断、治療信号、凝固、ブレード電極を部分的に取り囲む、又はこれらの任意の組合せを提供するための任意の形状であり得る。幅広シムは、１つの材料又は様々な材料から作製され得る。幅広シムは、ステンレス鋼、銅、銀、チタン、金属、外科用鋼、良好な放熱特性を有する金属、低い放熱特性を有する金属、高い熱伝導率を有する材料、又はこれらの任意の組合せから作製され得る。幅広シムは、ブレード電極、金属シム、又はこれらの両方と係合される以前に管状であり得る。幅広シムは導電性の管であり得る。導電性管はブレード電極を部分的に又は完全に取り囲み、且つ／又は包囲し得る。幅広シムは、ブレード電極、金属シム、又はこれらの両方の周囲に圧着（クリンプ）され得る。幅広シムは、１以上のカットアウトを含み得る。１以上のカットアウトは、２つ以上の面、１以上のファセット、１以上のファセットの遠位部、又はこれらの組合せの少なくとも一部が露出されることを可能にし得る。露出された面、ファセット、又はこれらの両方が、幅広シム（例えば導電管）から外側に（例えば遠位方向に）突出し得る。幅広シムは、少なくとも２つの導電面を含み得る。少なくとも２つの導電面は、互いに離隔されることができ、ほぼ平行であり得、又はこれらの両方であり得る。少なくとも２つの導電面は、金属シムの少なくとも２つの面に対してほぼ平行であり得る。少なくとも２つの導電面は係合部に接続され得る。幅広シムは金属シムを、部分的に取り囲んでも、部分的に包囲しても、完全に取り囲んでも、完全に包囲してもよく、又はこれらの任意の組合せを行い得る。幅広シムは、側部電極のその他の構成要素（例えば、非導電性コーティング、導電性コーティング）とは異なる熱伝導率を有し得る。幅広シムは、遠位端及び近位端を有し得る。幅広シムの近位端は、ハンドピース内に、例えばハンドピースのチャネル内に配置され得る。遠位端は近位端に対向し得る。
【００４０】
側部電極は、係合部を含み得る。係合部は、側部電極をブレード電極に係合させ、側部電極をブレード電極に取り付け、ブレード電極と協働し、側部電極を移動させ、ブレード電極を移動させ、又はこれらの任意の組合せを行うように機能し得る。係合部は、側部電極をブレード電極に係合し、側部電極をブレード電極に固定し、側部電極をブレード電極と協働させ、側部電極を移動させ、ブレード電極を移動させ、又はこれらの任意の組合せを行うことを可能にするための任意の寸法、形状であり得、且つ／又は、側部電極の任意の場所に配置され得る。係合部は、１以上の突出部、延長部、Ｔ字状インサート、Ｉ字状インサート、Ｈ字状インサートなど、又はこれらの任意の組合せを含み得る。係合部は、側部電極の２つ以上の導電面を接続し得る。係合部は、導電面がブレード電極の対向する側にあることを可能にし得る。係合部は、側部電極の長手方向軸に沿って、又は当該長手方向軸に平行に配置され得る。係合部は、側部電極の内部に沿って配置され得る。係合部は、側部電極の１以上の面（ブレード電極に平行で且つブレード電極に面する）に配置されることができ、且つ／又は、側部電極の１以上の面から延在し得る。係合部は、受容部、例えばトラック内に、ブレード電極の長手方向軸に沿って挿入され得る。係合部は、受容部が係合部に対して移動すること、係合部が受容部に対してスライドすること、又はこれらの両方を可能にし得る。係合部は、側部電極、ブレード電極、又はこれらの両方が１以上の操作位置に配置されることを可能にし得る。係合部は、ブレード電極から電気的に絶縁され得る。係合部は、非導電性コーティングにより部分的又は完全に被覆され得る。係合部の任意の表面（引き出し位置又は引き込み位置のいずれかにてブレード電極の表面と接触し得る）を、非導電性（例えば、電気的に非伝導性）のコーティングで被覆し得る。
【００４１】
側部電極は、１以上の動作位置を含み得る。１以上の動作位置は、治療信号を伝達し、若しくは、電気外科手術装置を特定のモードに構成し、又はこれらの両方を行うように機能し得る。側部電極は、治療信号を伝達するための、装置を特定のモードに構成するための、又はこれらの両方のための任意の適切な位置を有し得る。側部電極は、ブレード電極に対して固定されていても、ブレード電極に対して移動可能であってもよく、ハンドピースに対して固定されていても、ハンドピースに対して移動可能であってもよく、或いは、これらの任意の組合せであってもよい。側部電極は、第１の単極モード位置、第２の単極モード位置、双極モード位置、又はこれらの任意の組合せを有し得る。
【００４２】
第１の単極モード位置は、側部電極の、第１の単極電流及び／又は治療信号を印加するための、若しくは、単極電流及び／又は治療信号を有さないための、又はこれらの両方に適した任意の位置であり得る。第１の単極モード位置は、側部電極がブレード側部電極の一部を部分的に露出させる位置、側部電極の遠位部がブレード電極の遠位部を露出させる位置、側部電極の遠位部がブレード電極の遠位部と同一平面上又はほぼ同一平面にある位置、側部電極がハンドピースに対して引き込まれた位置、側部電極がハンドピースに対して固定された位置、測部電極がブレード電極に対して引込まれた位置、側部電極がブレード電極に対して不動である位置、又はこれらの任意の組合せを含み得る。
【００４３】
第２の単極モード位置は、側部電極の、第２の単極電流及び／又は治療信号を印加するのに適した任意の位置であり得る。第２の単極モード位置は、側部電極が側部電極を部分的に露出させる位置、側部電極の遠位部がブレード電極の遠位部を部分的に露出させる位置、側部電極の遠位部がブレード電極の遠位部と同一平面上又はほぼ同一平面にある位置、側部電極がハンドピースに対して引き出された位置、側部電極がハンドピースに対して固定された位置、側部電極がブレード電極に対して引き出された位置、側部電極がブレード電極に対して不動である位置、又はこれらの任意の組合せを含み得る。
【００４４】
双極モード動作位置は、第１の単極モード及び／又は第２の単極モードからの側部電極の動作位置の任意の１つ又は組合せであり得る。側部電極の移動（例えば、引き込み及び／又は引き出し）は、ブレード、ハンドピース、ブレード電極、又はこれら任意の組合せの長手方向軸に沿って行われ得る。側部電極は、側部電極をハンドピース、ブレード電極、又はこれらの両方に対して移動させ得る１以上の構成要素に連通され得るか又は取り付けられ得る。側部電極は、側部電極をハンドピース、ブレード電極、又はこれらの両方に対して移動させる１以上のシャトル、スイッチ、ボタン、又はこれらの組合せに連通され得るか又は取り付けられ得る。
【００４５】
電気外科装置は、２つ以上のリードを含み得る。２つ以上のリードは、電気外科装置、ブレード電極、側部電極、又はこれらの任意の組合せを、電気外科システム、エネルギー源、リターン電極、又はこれらの任意の組合せに電気的に接続するように機能し得る。２つ以上のリードは、１以上の電極を収容するように機能し得る。２つ以上のリードは、電力（例えば、単極又は双極電力、単極又は双極電流、単極治療信号、双極治療信号、或いはこれらの任意の組合せ）を伝達し得る。２つ以上のリードは、情報（例えば、１以上のスイッチの作動（すなわち、ボタンの押下、シャトルの移動））を伝送し得る。２つ以上のリードは、１以上の電気回路スイッチと電気的に連通し、直接接触し、又はこれらの両方であり得る。１以上のスイッチと１以上のリードとの電気的連続性により、中央処理装置がエネルギー源に情報を中継し、エネルギー源が１以上のリードに治療信号及び／又は電流を提供し、又はこれらの両方が行われ得る。２つ以上のリードは、ブレード電極、側部電極、又はこれらの両方から延在し得る。例えば、第１のリードがブレード電極から延在でき、第２のリードが側部電極から延在でき、又はこれらの両方であり得る。１以上のリードが、１以上のその他のリードから電気的に絶縁され得る。１以上のリードが、１以上のその他のリードとの間の絶縁部を含み得る。例えば、２つ以上のリードは、同軸ケーブルの形態であっても、又は同軸ケーブル内にあってもよい。同軸ケーブルは、第１のリードと第２のリードとの間の絶縁部を含み得る。
【００４６】
電気外科装置は、シャトルを含み得る。シャトルは、制御装置及び／又はアクチュエータとして機能でき、或いは、制御装置及び／又はアクチュエータの一部であり得る。シャトルは、１以上のボタンを覆い、ブレード電極を移動させ、側部電極を移動させ、電気外科装置及び／又は活性化回路の１以上の特徴物を、不動化し及び／又は電気的に切断し、１以上のボタンを不動化し、１以上のボタンの移動及び／又は押下を防止し、又はこれらの任意の組合せを行うように機能し得る。シャトルは、１以上のボタンを覆い、ブレード電極を移動させ、側部電極を移動させ、電気外科装置及び／又は活性化回路の１以上の特徴物を不動化し及び／又は電気的に切断し、１以上のボタンを不動化し、１以上のボタンの移動及び／又は押下を防止し、又はこれらの任意の組合せを行うための任意の形状及び／又は寸法を有し得る。シャトルは、１以上のボタンを覆うシールドであり得る。シールドは、使用されていない１以上のボタンを覆い得る。シールドは、１以上のボタンを、１以上のボタンが接触から保護されるように（例えば、押されないように）覆い得る。例えば、電気外科装置が第１の単極モード構成にあるとき、シャトルは、第２の単極モードの作動を防止するためのボタンを覆い、第１単極モードを作動させるためのボタンを露出させることができ、且つ／又は、この逆の場合も同様に可能である。シャトルはソリッドピース（中実部品）であり得る。シャトルは、１以上のボタンの下、周囲、内部、又はこれら任意の組合せの位置に、１以上のボタンの移動の妨害、防止、又はこの両方を行うように延在する装置を含み得る。例えば、シャトルが移動されると、シャトルの一部が１以上のボタンの下に、ユーザがボタンを押せないように延び出て、これにより、電力、電気、治療電流、又はこれらの任意の組合せが提供されないようにする。シャトルは、１以上の位置を含み得る。シャトルは、第１の位置及び第２の位置を有し得る。シャトルは、電気外科装置が第１の単極構成にあるときに第１の位置にあり得る。シャトルは、電気外科装置が第２の単極構成にあるときに第２の位置にあり得る。シャトルは、第１位置、第２位置、又はこれらの両方の位置において、本明細書に記載するシャトルの機能のいずれかを実行し得る。シャトルは、トラック上をスライドすることにより移動され得る。シャトルは、ブレード電極、側部電極、又はこれらの両方を移動させることができ、或いは、シャトルは、ブレード電極、側部電極、又はこれらの両方を移動させる組立体の一部であり得る。シャトルは、ブレード電極、側部電極、又はこれらの両方を、ハンドピースに対して引き込み及び／又は引き出し得る。
【００４７】
シャトルは、電気外科装置の１以上の構成要素（引き込み、引き出し、又はこれらの両方が可能な要素）に連結され得る。例えば、シャトルは、側部電極、ブレード電極、又はこれらの両方に連結され得る。シャトルを用いて、側部電極、ブレード電極、又はこれらの両方を、単極構成間で移動させ得る。シャトルをハンドピースの遠位端に向かって移動させることにより、電気外科装置の１以上の構成要素がハンドピースから引き出され得る。例えば、シャトルをハンドピースの遠位端に向かって移動させると、側部電極、ブレード電極、又はこれらの両方がハンドピースに対して引き出され得る。シャトルをハンドピースの近位端に向かって移動させることにより、電気外科装置の１以上の構成要素がハンドピース内に引き込まれ得る。例えば、シャトルをハンドピースの近位端に向かって移動させると、側部電極、ブレード電極、又はこれらの両方がハンドピースに対して引き込まれ得る。シャトルは、ブレード電極、側部電極、又はこれらの両方と一体的に連結され得る。シャトルはハンドピースに連結され得る。シャトルは、トラック（例えば、ハンドピース内のトラック）内に配置され得る。シャトルは、ハンドピースに連結されてハンドピースのトラック上をスライドし得る。
【００４８】
電気外科装置は、１以上のボタンを含み得る。１以上のボタンは、制御装置及び／又はアクチュエータとして、或いは、制御装置及び／又はアクチュエータの一部として機能し得る。１以上のボタンは、電気外科装置の１以上の機能を制御するように機能し得る。１以上のボタンは、単極電力、双極電力、第１の単極モード、第２の単極モード、切断モード、切断及び凝固モード、治療電流、ブレード電極の移動、側部電極の移動、又はこれらの任意の組合せを制御し得る。１以上のボタンは、１以上の電気スイッチと、電気接触、直接接触、又はこれらの両方の接触をし得る。ボタンを押すことにより電気回路を電気的に切り替えて開閉し得る。１以上のボタンは、第１のボタン、第２のボタン、又はこれらの両方を含み得る。１以上のボタンは２つのボタンを含み得る。１以上のボタンは、ユーザ（すなわち、外科医）に電気外科装置の１以上の機能を制御させるための任意の寸法及び／又は形状を有することができ、また、このためのいずれの位置にも配置され得る。１以上のボタンは、第１の単極モード、切断モード、又はこれらの両方を制御するための色及び／又は構成を有し得る。例えば、第１のボタンは、第１の単極モード、切断モード、又はこれらの両方を制御し得る。１以上のボタンは、所定の色を有し、且つ／又は、第２の単極モード、切断及び凝固モード、又はこれらの両方を制御し得る。例えば、第２のボタンは、第２の単極モード、切断及び凝固モード、又はこれらの両方を制御し得る。１以上のボタンは、シャトルが移動するとき、ブレード電極が移動するとき、側部電極が移動するとき、又はこれらの任意の組合せのときに、シャトルにより露出及び／又はロック解除され得る。１以上のボタンは、シャトルが移動するとき、ブレード電極が移動するとき、側部電極が移動するとき、又はこれらの任意の組合せのときに、シャトルにより覆われ及び／又はロックされ得る。例えば、第１のボタンは、シャトル、側部電極、ブレード電極、又はこれらの任意の組合せが、第１単極モード、切断モード、又はこれらの両方にあるときにのみ露出され得る。例えば、第２ボタンは、シャトル、側部電極、ブレード電極、又はこれらの任意の組合せが、第２の単極モード、切断及び凝固モード、又はこれらの両方にあるときにのみ露出され得る。１以上のボタンは、それぞれの電極への電力を、対象領域に電力が供給されるようにオンにし得る。例えば、第１ボタンがブレード電極への電力をオンにし得る。例えば、第２ボタンが、ブレード電極、側部電極、又はこれらの両方への電力をオンにし得る。１以上のボタンは、単一のボタンであってもよい。単一のボタンは、セレクタを含み得る。
【００４９】
セレクタは、ユーザ（すなわち、外科医）が電気外科装置の１以上の機能を制御及び／又は選択することを可能にし得る。セレクタは、ユーザが、第１単極モード、切断モード、第２単極モード、切断及び凝固モード、又はこれらの任意の組合せから選択することを可能にし得る。セレクタは、ブレード電極、側部電極、又はこれらの両方が引き出され及び／又は引き込まれるときに自動的に移動され得る。ユーザはセレクタを所望のモード及び／又は機能に設定し得る。セレクタは、１以上の機能及び／又はモードに同時に電力供給し得る。電気外科装置は、ブレード電極及び／又は側部電極の構成をロックするボタンを含み得る。電気外科装置は、ブレード電極及び／又は側部電極の移動を可能にするボタンを含み得る。セレクタ、１以上のボタン、又はこれらの両方は、ハンドピースの一部であり得る。
【００５０】
電気外科装置はハンドピースを含み得る。ハンドピースは、装置のユーザにハンドグリップを提供し、１以上の制御ボタンを収容し、１以上のスイッチを収容し、又はこれらの任意の組合せを行うように機能し得る。ハンドピースは、側部電極、ブレード電極、又はこれらの両方を収容し得る。ハンドピースは、１以上のリード、１以上のダイオード、１以上の同軸ケーブル、１以上のダイオード、１以上のコンデンサ、又はこれらの任意の組合せを収容し得る。ハンドピースは、制御回路の全部又は一部、中央処理装置、又はこれらの両方を収容し得る。ハンドピースは、電気外科装置、電気システム、又はこれらの両方を、エネルギー源（例えば、発電機）に電気的に接続し得る。ハンドピースは、電気外科装置の機能要素を物理的に接続でき、電気外科装置の電気要素を電気的に接続でき、又はこれらの両方を行い得る。ハンドピースは、ハンドグリップを提供するのに適した任意の寸法及び／又は形状を有し得る。ハンドピースは、１以上の制御ボタンの収容、１以上のスイッチの収容、側部電極の収容、ブレード電極の収容、１以上の電気部品の収容、又はこれらの任意の組合せに適した任意の寸法及び／又は形状を有し得る。ハンドピースは、ユーザ（すなわち、外科医）が電気外科装置を保持するために把持する部分であり得、又はこの把持部を含み得る。ハンドピースは、ユーザ（すなわち、外科医）がスイッチを移動させるために用いる部分であり得、又はこの部分を含み得る。この移動は、例えば、電気外科装置の一部（すなわち、側部電極及び／又はブレード電極）を、引き込み位置、引き出し位置、又はこれらの両方に移動させるためのものである。ハンドピースは、ユーザ（すなわち、外科医）が所望の場所に電力を印加する（すなわち、第１の単極モード、第２の単極モード、又はこれらの両方の）ために１以上のボタンを押すために用いる部分であり得、又はこの部分を含み得る。ハンドピースは、電気外科装置、ブレード電極、側部電極、又はこれらの任意の組合せに電力を供給するための１以上のボタン及び１以上の電気コネクタの両方を含む中央部であり得る。
【００５１】
電気外科装置のハンドピースは、チャネルを含み得る。チャネルは、側部電極、ブレード電極、又はこれらの両方を収容するように機能し得る。チャネルは、側部電極、ブレード電極、又はこれらの両方がチャネルに引き込まれ、及び／又はチャネルから引き出されることを可能にし得る。チャネルは、側部電極、ブレード電極、又はこれらの両方を収容するための；側部電極、ブレード電極、又はこれらの両方がチャネルに引き込まれ、及び／又はチャネルから引き出されることを可能にするための；或いは、これらの任意の組合せのための、任意の寸法及び／又は形状を有し得る。チャネルは、ハンドピース内の中央に配置され得る。チャネルは、ハンドピースの遠位端からハンドピースの近位端に向って延在し得る。チャネルはハンドピース内に配置され得る。チャネルは、ブレード電極、側部電極、又はこれらの両方がチャネル内に配置され、チャネルから引き込まれ、チャネルから引き出され、又はこれらの任意の組合せが行われるように、材料が除去された部分であり得る。チャネルは、１以上のスイッチ、１以上の制御ボタン、又はこれらの両方に連通し得る。チャネルは、電気外科装置の１以上の構成要素を収容するための任意の形状であり得る。チャネルは、円形、正方形、楕円形、ダイヤモンド形など、又はこれらの形状の任意の組合せであり得る。チャネルは、キースロットであってもよい。
【００５２】
ブレード電極、側部電極、又はこれらの両方は、組織と接触しているときに回路を完成し得る。組織は、ブレード電極、側部電極、又はこれらの両方を１以上のリターン電極に電気的に接続し得る。組織は、側部電極の対向する導電面を電気的に接続し得る（例えば、双極モードの場合）。組織は、ブレード電極、側部電極、又はこれらの両方と１以上のリターン電極との間の電気ブリッジとして作用し得る。側部電極、ブレード電極、１以上のボタン、シャトル、又はこれらの任意の組合せの移動が、回路、スイッチ、又はこれらの両方を作動させ得る。
【００５３】
電気外科装置は、電気回路の一部であり得る。この回路は、１以上の単極モード、双極モード、切断モード、切断及び凝固モード、非電気外科モード、電源オフモード、又はこれらの任意の組合せを切り替える１以上のスイッチを有し得る。１以上のスイッチは、１以上の単極電極（すなわち、ブレード電極、側部電極、又はこれらの両方）を活性化でき、１以上のリターン電極（すなわち、１以上の接地パッド）を活性化し、又はこれらの両方を行い得る。１以上のスイッチは、１以上の双極電極を活性化でき、１以上のリターン電極を不活性化でき、又はこれらの両方を行い得る。１以上のスイッチは、１以上の単極電極、１以上の双極電極、１以上のリターン電極、又はこれらの任意の組合せを不活性化し得る。ブレード電極、側部電極、１以上のリターン電極、又はこれらの任意の組合せは、エネルギー源に接続され得る。エネルギー源は、交流電源又は直流電源であり得る。
【００５４】
電気外科装置は、１以上の電力コネクタを含み得る。電力コネクタは、電力、治療電流又はこれらの両方を、エネルギー源から、電気外科システム、電気外科装置、又はこれらの両方に供給して、電気外科装置を電気外科手術に使用できるように機能し得る。電気外科システム、電気外科装置、ハンドピース、又はこれらの任意の組合せは、電気外科システム、電気外科装置、ハンドピース、又はこれらの任意の組合せに電力を供給する１以上の又は２つ以上の電力コネクタを含み得る。治療電流は、電気外科装置により印加されて所定の機能を実行する任意の電流であり得る。治療電流は、単極電力、双極電力であり得、切断、凝固、高周波凝固、又はこれらの任意の組合せを行い得る。治療電流は、電気外科装置により生成された電力の任意の印加であり得る。治療電流は、１以上の電力コネクタから電気外科装置内に及び電気外科装置を通って流れる電力の任意の印加であり得る。治療電流は電圧源から供給され得る。電圧源は、本明細書で論じる１以上の機能を実行する任意のエネルギー供給源であり得る。電圧源は、直流電圧源又は交流電圧源であり得る。電力コネクタは、ワイヤ、導体片、又はこれらの両方であり得る。
【００５５】
電気外科用装置は、１以上の電力コネクタ、２つ以上の電力コネクタ、３つ以上の電力コネクタ、又は４つ以上の電力コネクタも含み得る。例えば、３電源コネクタシステムにおいて、電力コネクタは、正ピン、負ピン、リターンピン、又はこれらの任意の組合せであっても、及び／又は、これらのピンに接続されてもよい。例えば、４電源コネクタシステムにおいて、電力コネクタは、双極正ピン、双極負ピン、単極アクティブピン、単極リターンピン、又はこれらの任意の組合せであっても、及び／又は、これらのピンに接続されてもよい。電力コネクタの各々は、エネルギー源、例えば発電機に直接接続され得る。
【００５６】
電気外科装置は、エネルギー源に接続され得るか、又はエネルギー源を含み得る。エネルギー源は、電力、治療電流、制御信号、電気外科治療信号、又はこれらの任意の組合せを供給するように機能し得る。エネルギー源は、電力、治療電流、制御信号、電気外科治療信号、又はこれらの任意の組合せを供給するように機能する任意の装置であり得る。エネルギー源は発電機であり得る。エネルギー源は、ユーザからの信号に応答してエネルギー源自体を電子的に再構成でき、ユーザによる調整に応答してエネルギー源自体を物理的に再構成でき、又は、これらの両方を行い得る。エネルギー源は、ハンドピースに電気的に接続されて、電気外科治療信号、電力治療電流、又はこれらの任意の組合せを供給及び／又は受信するように機能し得る。エネルギー源は、単一の治療電流のみ、２つの治療電流、２つより多くの治療電流、又はこれらの任意の組合せを生成し得る。エネルギー源は、２つ以上の電力接続部、３つ以上の電力接続部、又は４つ以上の電力接続部を含み得る。電力接続部は、発電機における任意のポートであり得、このポートに、ハンドピースの１以上の電力コネクタが、電力、制御信号、治療電流、又はこれらの任意の組合せが電気外科装置に供給されるように差し込まれ得る。エネルギー源は、１以上の電力接続部間で切り替えられ得る１以上のスイッチを含み得、この切り替えは、電力、信号、又はこれらの両方が電気外科装置の所望の構成に基づいて電気外科装置に選択的に印加され得るように行われる。
【００５７】
電気外科装置は、中央処理装置（ＣＰＵ）、一連の内部スイッチング、又はこれらの両方に接続されるか、或いはこれらを含み得る。内部スイッチングは、活性化回路からエネルギー源に、エネルギー源が電気外科装置（例えばハンドピース）に電力を供給するように信号を提供し得る。中央処理装置は、内部スイッチングと相互交換されることができ、スイッチングは、中央処理装置と同一の機能を実行し得る。中央処理装置は、電力、信号、電気的再構成、２つ以上の治療電流間のスイッチ、２つ以上の構成又はモード間のスイッチ、２つ以上の治療信号間のスイッチ、又はこれらの任意の組合せを、電気外科装置が所望の機能を果たし得るように提供する任意の装置であり得る。中央処理装置は、第１の単極モード、第２の単極モード、切断モード、切断及び凝固モード、双極モード、又はこれらの任意の組合せの間で電気外科装置を切り替えるために用いられ得る。中央処理装置は、１以上のスイッチ、１以上の極、エネルギー源、又はこれらの任意の組合せと電気的に通信し得る。中央処理装置は、１以上の極と電気通信し得る１以上のスイッチと電気通信し得る。例えば、中央処理装置は、第１のスイッチ、第２のスイッチ、又はこれらの両方と電気通信し得る。中央処理装置は、１以上のスイッチと１以上の極との間の連続性を判断し得る。中央処理装置は、１以上のスイッチと１以上の極との間の電気的連続性に基づいて、１以上の極に電力を供給するようにエネルギー源に命令する。中央処理装置は、単一の治療信号が送信される必要があるか、又は、複数の治療信号が送信される必要があるかを判断し得る。例えば、１つの極と１つのスイッチのみの間に電気的連続性がある場合、単一の治療信号が送信され得る。単一の治療信号は、第１の単極治療信号であり得る。例えば、第１極と第１スイッチとの間に電気的連続性があり、第２極と第２スイッチとの間にも電気的連続性がある場合、２つの治療信号が送信され得る。２つの治療信号は、第１単極治療信号及び第２単極治療信号を含み得る。
【００５８】
電気外科装置は、１以上のスイッチに接続され得る。１以上のスイッチは、回路を開／閉し、電気的連続性を提供し、電気エネルギーを供給し、電気エネルギーを迂回させ、又はこれらの任意の組合せを行うように機能し得る。スイッチは、回路を開／閉し、電気的連続性を提供し、電気エネルギーを供給し、電気エネルギーを迂回させ、又はこれらの任意の組合せを行うための、任意の形状、機能を有することができ、且つ／又は、電気外科装置、電気外科システム、又はこれらの両方の回路におけるいずれの場所にあってもよい。１以上のスイッチは、エネルギー源、中央処理装置、１以上のボタン、１以上の極、１以上のリード、又はこれらの任意の組合せと電気的に連通し得る。電気外科装置及び／又は電気外科システムの任意の構成要素は、１以上のスイッチを閉鎖及び／又は開放するように機能し得る。例えば、１以上のボタンは、１以上のスイッチに電気的に連通でき、且つ／又は直接接続され得る。１以上のボタンを押し下げることで、１以上のスイッチが開／閉し得る。１以上のスイッチは、閉じられているとき、１以上の極、中央処理装置、及び／又はエネルギー源の間に電気的連続性を提供し得る。１以上のスイッチを閉じることにより、１以上の治療信号が、エネルギー源から、ハンドピース、１以上の極、１以上のリード、側部電極、ブレード電極、又はこれらの任意の組合せに送信され得る。１以上のスイッチを閉じることにより、少なくとも１つの単極治療信号が供給され得る。１以上のスイッチは、第１のスイッチ及び第２のスイッチを含み得る。第１スイッチは第１の極と電気的に連通でき、第２スイッチは第２の極と電気的に連通でき、又は、この両方が可能である。第１スイッチを閉じることにより、第１スイッチと第１極との間、及び／又は、第１スイッチと第２極との間に電気的連続性が生じ得る。第２のスイッチを閉じることにより、第２スイッチと第２極との間、及び／又は、第２スイッチと第１極との間に電気的連続性が生じ得る。単一のスイッチ（例えば、第１スイッチ及び／又は第２スイッチ）を閉じることにより、単一のスイッチと単一の極又は複数の極（例えば、第１極及び第２極）との間に電気的連続性が生じ得る。単一のスイッチ（例えば、第１スイッチ及び／又は第２スイッチ）を閉じることにより、エネルギー源と単一の極（例えば、第１極若しくは第２極）、又は複数の極（例えば、第１極及び第２極）との間に電気的連続性が生じ得る。単一のスイッチ（例えば、第１スイッチ及び／又は第２スイッチ）を閉じることにより、エネルギー源と第１極との間、エネルギー源と第２極との間、又はこれらの両方に電気的連続性が生じ得る。１つよりも多数のスイッチが閉じられている場合、少なくとも１つのスイッチが、電気信号の一部又は全部を迂回させ得る。電気信号の一部又は全部を迂回させることにより、ハンドピースは、１つよりも多数の治療信号を受信し得る。例えば、エネルギー源は、１以上のスイッチに電気エネルギー信号を送信でき、１つよりも多数のスイッチが閉じられている場合、電気エネルギー信号の一部を、複数の極に、スイッチのうちの少なくとも１つを介して迂回させ得る。
【００５９】
電気外科装置、電気外科システム、又はこれらの両方は、複数の極を含み得る。これらの極は、１以上のエネルギー源から治療電流を受け取り、電気外科装置及び／又はシステム、又はこれらの両方における治療電流の方向（例えば、流れ）を制御するように機能し得る。複数の極は、１以上の治療電流を単一のエネルギー源から１以上のリターン電極に導き得る。複数の極は、治療電流を１以上のエネルギー源から受け取るための、又は、治療電流を、ハンドピース、ブレード、ブレード電極、側部電極、リターン電極、若しくはこれらの組合せに送信するための、或いはこれらの両方のための任意の構成を有し得る。複数の極は、電気外科装置及び／又は電気外科システム内のいずれの場所にも配置され得る。複数の極は、ハンドピース、同軸ケーブル、第１及び／又は第２のリード、ブレード、ブレード電極、側部電極、リターン電極、又はこれらの任意の組合せ内に配置され得る。複数の極は、１以上のアクティブ極及び１以上のリターン極を含み得る。１以上の極は、１以上のその他の極と同一の又は異なる極性を有し得る。複数の極は、第１の極、第２の極、及びリターン極を含み得る。第１極は、ブレード電極及び／又は第１リードに連通し、接続され、且つ／又はその一部であり得る。第２極は、側部電極及び／又は第２リードに連通し、接続され、且つ／又はその一部であり得る。リターン極は、電気外科システム、エネルギー源、又はこれらの両方に連通し、接続され、且つ／又はその一部であり得る。接地極は、リターン電極として、或いは、リターン電極の一部と見なされ得る。第１極は第２極と同一の又は異なる極性を有し得る。第１極は、第１の治療電流をエネルギー源からリターン電極に導き得る。第２極は、第２の治療電流をエネルギー源からリターン電極に導き得る。第１極は第１治療電流を、第２極が第２治療電流を導くのと同一の又は異なるリターン電極に導き得る。
【００６０】
電気外科装置、電気外科システム、又はこれらの両方が、１以上のリターン電極を含み得る。１以上のリターン電極は、１以上の極、ハンドピース、ブレード、ブレード電極、側部電極、又はこれらの任意の組合せから治療電流を受け取り、且つ／又は治療電流をエネルギー源に戻すように機能し得る。１以上のリターン電極は、１以上の極、ハンドピース、ブレード、ブレード電極、側部電極、又はこれらの任意の組合せから治療電流を受け取り、且つ／又は治療電流をエネルギー源に戻すための任意の構成を有し得る。１以上のリターン電極は、１以上の接地パッドを含み得る。１以上のリターン電極は、共通のリターン経路、別個のリターン経路、又はこれらの両方の組合せを介して、エネルギー源と電気的に連通し得る。１以上のリターン電極は、１以上のスイッチと電気的に連通し得る。１以上のスイッチは、１以上のリターン電極が１以上の治療信号をエネルギー源に送信することを可能にし得る。１以上のリターン電極とエネルギー源との、閉鎖スイッチを介した電気的連続性により、１以上のリターン電極が１以上の治療信号をエネルギー源に送信し得る。１以上のリターン電極とエネルギー源との、開放スイッチを介した電気的不連続により、１以上のリターン電極が１以上の治療信号をエネルギー源に送信することが防止され得る。
【００６１】
電気外科装置、電気外科システム、又はこれらの両方が、１以上のリターン電極からエネルギー源へのリターン経路を含み得る。リターン経路は、治療電流を１以上のリターン電極からエネルギー源に送信する及び／又は送信防止するように機能し得る。リターン経路は、治療電流を１以上のリターン電極からエネルギー源に送信する及び／又は送信防止するための任意の構成を有し得る。リターン経路は、１以上のリターン電極、エネルギー源に直接接続されても、及び／又は、これらとの間に１以上のスイッチを含んでもよい。
【００６２】
電気外科装置、電気外科システム、又はこれらの両方を、電気外科装置の１以上の構成要素を電気的に構成すること、電気外科装置の１以上の構成要素を物理的に構成すること、又はこれらの両方により、様々な回路に構成し、又はこれらの回路を作成し得る。様々な回路は、第１の単極回路、第１の信号（シグナリング）回路、第２の単極回路、第２の信号回路、デュアル単極回路、双極回路、又はこれらの任意の組合せを含み得る。使用中、１以上のスイッチを、１以上の開回路、１以上の閉回路、又はこれらの両方が形成され得るように、開／閉し得る。例えば、第１単極回路を完成させるために、ブレード電極、エネルギー源、及びリターン電極の間に電気接続が形成されるように、ブレード電極を引き出し、側部電極を引き込み、シャトルを前方移動させ、或いは以上のボタンを押し得る。ブレード電極、エネルギー源、及びリターン電極は、単極電流及び／又は単極治療信号のための経路を提供するように、回路を第１単極モードで形成し得る。例えば、ブレード電極を引き込み、側部電極を引き出し、シャトルを後方移動させ、且つ／又は、１以上のボタンを押すことにより、ブレード電極と、エネルギー源と、リターン電極との間に電気接続が形成され、また、側部電極と、エネルギー源と、リターン電極との間に電気接続が形成される。ブレード電極、エネルギー源、及びリターン電極は、１つの電気回路、例えば、第１単極回路及び／又は第１信号回路を形成し得る。第１単極回路及び／又は第１信号回路は、第１単極モード中に単極電流又は治療信号のための経路を提供し得る。側部電極、エネルギー源、及びリターン電極は、別の電気回路、例えば、第２単極回路及び／又は第２信号回路を形成し得る。第２単極回路及び／又は第２信号回路は、ブレード電極を含んでも、又は、ブレード電極を除外してもよい。第２単極回路及び／又は第２信号回路は、第２単極モードにおいて、単極電流及び／又は単極治療信号のための経路を提供し得る。
【００６３】
また、本教示は、電気外科装置を、１つのモードから別のモードに（例えば、１つの単極モードから、別の単極モードに、双極モードに、非電気外科モードに、電源オフモードに、又はそれらの組合せに）切り替える方法に関する。この方法は、本明細書に記載した１以上のステップを、実際には任意の順序で含み得る。この方法は、側部電極の引き込み及び／又は引き出し、ブレード電極の引き込み及び／又は引き出し、シャトルの移動、１以上のボタンの押圧、リターン電極の適用、リターン電極の除去、回路の再構成、又はこれらの任意の組合せを含み得る。この方法は、第１の単極電流及び／又は治療信号を印加し、その直後に第２の単極電流及び／又は治療信号を印加するステップを含み得る。この方法は、第１の単極電流及び／又は治療信号を第２の単極電流及び／又は治療信号と共に同時に印加するステップを含み得る。この方法は、第１及び／又は第２の単極電流を印加し、且つ／又は、次いで治療信号を印加し、その直後に双極電流及び／又は治療信号を印加するステップ、或いは、単極と双極が逆順のステップを含み得る。この方法は、電気外科システム、電気外科装置、又はこれらの両方を電源オン／又は電源オフにするステップを含み得る。この方法は、非電気外科構成又は第１単極モードで切断（すなわち、精密切断）するステップ、次いで、別の単極電力（すなわち、第２単極モードで）又は双極電力を印加して、凝固、焼灼及び／又は切断を続行するステップ、或いはこれらの両方のステップを、器具を交換するステップを用いて行うことを含み得る。
【００６４】
以下の図面の説明は、本明細書の教示を説明するために提示されるが、本発明の範囲を限定することは意図されていない。１つの実施形態の特徴を別の実施形態で用いることも可能である。例えば、図８〜図１３の特徴のいずれも、図１〜図７に示されている実施形態のいずれにも組み込むことができ、またこの逆も可能である。図８〜図１０の特徴のいずれも、図１１〜図１３に示されている実施形態のいずれにも組み込むことができ、またこの逆も可能である。図１４〜図１８に示されている特徴のいずれも、図１〜図１３の実施形態のいずれにも組み込むことができ、図１４〜図１８に示されている特徴のいずれも、図１４〜図１８のその他の特徴のいずれにも組み込まれ得る。
【００６５】
図１は、電気外科装置１０の斜視図である。電気外科装置１０は、ハンドピース１４に取り付けられたブレード１２を含む。ハンドピース１４は、ユーザが電気外科装置１０を保持及び操作するためのハンドル又はグリップである。ハンドピース１４は、チャネル１６（例えば、ブレード１２を受け入れるキースロット）を含む。ブレード１２は、ブレード電極２２を含む。ブレード電極２２は、第１の極６０を有する第１のリード５８に取り付けられている。ブレード電極２２は、側部電極４２により部分的に取り囲まれている。側部電極４２は、第２の極６４を有する第２のリード６２に取り付けられている。第１リード５８及び第２リード６２は、ハンドピース１４の近位端１８から延在している同軸ケーブル２０の一部である。
【００６６】
図２は、電気外科装置１０のブレード１２を示す。ブレード１２はブレード電極２２を含む。ブレード電極は金属シム２４である。金属シム２４は、金属シムファセット２８により接続された、対向する金属シム面２６を含む。金属シム２４は、ハンドピース１４（図２には示さず）に対向している遠位端３０を含む。金属シム２４は、非導電性コーティング３２内に部分的に覆われている。非導電性コーティング３２は、被覆された金属シム面３４を提供するように金属シム面２６を被覆している。非導電性コーティング３２は、被覆された金属シムファセット３６、及び、露出された金属シムファセット３８を提供するように、金属シムファセット２８の一部を被覆している。露出された金属シムファセット３８は、遠位端３０にファセットを含み、これにより、先端が露出された金属シムファセット４０を提供している。ブレード電極２２は、側部電極４２により部分的に取り囲まれている。側部電極４２は、幅広のシム４４を含む。幅広シム４４は導電面４６を含む。導電面４６は外側に向いており、被覆された金属シム面３４にほぼ平行である。幅広シム４４は、導電面４６に対向している内面４７を含む。内面４７は、被覆された金属シム面３４に平行に配置されている。ブレード電極２２の一部のみが側部電極４２と直接接触し、これは、被覆された金属シム面３４、被覆された金属シムファセット３６、及び、露出された金属シムファセット３８の少なくとも一部が側部電極４２から突き出るように行われる。ブレード電極２２と側部電極４２との直接接触部のみが、非導電性コーティング３２を含む。金属シム２４（すなわち、露出された金属シム、非導電性コーティングされていない金属シム）と、幅広シム４４（すなわち露出された幅広シム、非導電性コーティングされていない幅広シム）との間には、直接の接触がない。
【００６７】
図３は、ブレード電極２２の金属シム２４を示す。金属シム２４は、ほぼ平行で且つ対向する金属シム面２６を含む。金属シム面２６は金属シムファセット２８により接続されている。金属シム２４は、ハンドピース１４（図３には示さず）に対向する遠位端３０を含む。金属シム２４は、遠位端３０に対向する側に、第１のリード５８を含む。
【００６８】
図４は、ブレード電極２２を示す。ブレード電極は、非導電性コーティング３２により部分的に覆われた金属シム２４を含む。非導電性コーティング３２は、金属シム面２６（図４には示さず）を被覆して、被覆された金属シム面３４を提供している。非導電性コーティング３２は、金属シムファセット２８（図４には示さず）の一部を被覆して、被覆された金属シムファセット３６、及び、露出された金属シムファセット３８を提供している。露出された金属シムファセット３８は遠位端３０にファセットを含み、これにより、露出された金属シムファセット４０を遠位端に提供している。遠位端の露出された金属シムファセット４０を、ブレード電極２２の活性領域と称し得る。
【００６９】
図５は、電気外科装置１０のブレード１２を示す。ブレード１２は、ブレード電極２２の周囲に部分的に配置された側部電極４２を含む。側部電極４２は幅広シム４４を含む。幅広シム４４は導電面４６を含む。導電面４６は、外側に向いており、且つ、被覆された金属シム面３４にほぼ平行である。幅広シム４４は、導電面４６に対向する内面４７（図５には示さず）を含む。内面４７は、被覆された金属シム面３４に平行に配置されている。ブレード電極２２の一部のみが側部電極４２と直接接触しており、これは、被覆された金属シム面３４、被覆された金属シムファセット３６、及び、露出された金属シムファセット３８の少なくとも一部が側部電極４２から突き出るように行われる。側部電極４２は、第１のリード５８（図５には示さず）と同軸の第２のリード６２も含んでいる。
【００７０】
図６及び図７は、電気外科装置１０のハンドピース１４及びブレード１２を示す。ハンドピース１４は、ユーザのためのハンドルである。ハンドピース１４はブレード１２に接続されている。ブレードは、側部電極４２により部分的に取り囲まれたブレード電極２２を含む。側部電極４２はブレード電極２２に対して不動である。側部電極４２は幅広シム４４を含む。幅広シム４４は、被覆された金属シム面３４に平行に配置された内面４７（図６，７には示さず）を含む。非導電性コーティング３２が、ブレード電極２２を側部電極４２から絶縁している。
【００７１】
図８は、電気外科装置１０のブレード１２を示す。ブレード１２は、引き込み(retracted)位置１１６にある。引き込み位置１１６は、電気外科装置１０の単極モードのための物理的構成であり得る。引き込み位置１１６は、電気外科手術装置１０の第２の単極モード（図示せず）のための物理的構成であり得る。ブレード１２は、ブレード電極２２及び側部電極４２を含む。側部電極４２は、ブレード電極２２に平行に配置されている。側部電極４２は、外側に向いている導電面４６を含む。導電面４６は、ブレード電極２２の面２６に対向している。
【００７２】
図９は、電気外科装置１０のブレード１２を示す。ブレード１２は、引き出し(extended)位置１１４にある。引き出し位置１１４は、電気外科装置１０の単極モードのための物理的構成であり得る。引き出し位置１１４は、電気外科装置１０の第１の単極モード（図示せず）のための物理的構成であり得る。ブレード１２はブレード電極２２を含む。ブレード電極は受容チャネル４８を含む。受容チャネル４８は、側部電極４２の係合部５０と係合している。側部電極５２は受容チャネル４８の長さに沿って移動できる。側部電極４２は、受容チャネル４８の長さに沿って移動することにより、ブレード１２を引き込み位置１１６から引き出し位置１１４に移動させることができ、この逆方向もまた同様に可能である。
【００７３】
図１０は、電気外科装置１０のブレード１２の断面を示す。ブレードは、受容チャネル４８を有するブレード電極２２を含む。受容チャネル４８は、その内部に係合部５０を受け入れる。係合部５０は側部電極４２の一部である。係合部５０は、側部電極５０の２つの導電面４６を接続している。係合部５０は受容チャネル４８と協働して、側部電極４２が引き出し位置１１４から引き込み位置１１６に移動することを可能にし、この逆方向もまた同様に可能である。
【００７４】
図１１は、電気外科装置１０のブレード１２の側面図である。ブレード１２は、引き込み位置１１６にある。引き込み位置１１６は、電気外科装置１０の単極モードのための物理的構成であり得る。引き込み位置１１６は、電気外科装置１０の第２の単極モード（図示せず）のための物理的構成である。ブレード１２はブレード電極２２を含む。ブレード電極２２は、ブレード電極２２が引き込み位置１１６にあるときに、側部電極４２により包囲され又は取り囲まれる。引き込み位置１１６において、ブレード電極２２の活性領域２１８は、側部電極４２の活性領域２２０と同一平面上にある。ブレード電極２２の活性領域２１８は、遠位端３０における金属シムファセット２８（図示せず）、及び／又は、金属シム面２６（図示せず）を含み得る。ブレード電極２２は、側部電極４２から引き出し位置１１４に引き出され得る。
【００７５】
図１２は、電気外科装置１０のブレード１２の側面図を示す。ブレードは引き出し位置１１４にある。引き出し位置１１４は、電気外科装置１０の単極モードのための物理的構成であり得る。引き出し位置１１４は、電気外科装置１０の第１の単極モード（図示せず）のための物理的構成であり得る。ブレード１２はブレード電極２２を含む。ブレード電極２２の一部が、ブレード電極２２が引き出し位置１１４にあるときに側部電極４２により包囲され又は取り囲まれる。ブレード電極２２の、活性領域２１８を含む部分が側部電極４２から突出している。引き出し位置１１４において、ブレード電極２２の活性領域２１８は、側部電極４２の活性領域２２０から突出している。ブレード電極２２の活性領域２１８は、遠位端３０における金属シムファセット２８及び／又は金属シム面２６を含み得る。活性領域２１８は、導電性コーティングにより被覆されることができ、これにより、導電被覆されたファセット２２２、及び／又は導電被覆されたファセット２２２の一部をブレード電極の遠位端３０に提供し得る。例示的な導電性コーティングは、窒化チタンを含み得、これは、ブレード電極遠位端からの迅速な熱伝達を提供して、組織の付着及び炭化を防止できる。ブレード電極の、導電性被覆面２２２に隣接した面を、非導電性コーティング３２（図示せず）により被覆でき、これにより、非導電性被覆面２２４を提供し得る。例示的な非導電性コーティング３２（図示せず）は、窒化クロム又は高速酸素燃料（ＨＶＯＦ）アルミナスプレーを含み得、これらは、非粘着性コーティング、低レベル電流伝達部、又はこれらの両方として機能し得る。導電性コーティングが最小抵抗の経路を提供するため、非導電性コーティング３２は、電流が導電性コーティングに流れることを支援する。ブレード電極２２は、側部電極４２の活性領域２２０から延在している。側部電極４２の活性領域２２０は、導電性コーティング２２６及び非導電性コーティング２２８の両方を含む。導電性コーティング２２６は、開口部２３０に隣接して／開口部２３０周囲に配置され得る。この位置からブレード電極２２が側部電極４２から突き出る。例示的な導電性コーティングは、窒化チタンを含み得る。非導電性コーティング２２８は、導電性コーティング２２６に隣接して／導電性コーティング２２６周囲に配置される。例示的な非導電性コーティングは、ＨＶＯＦアルミナスプレーの形態の窒化クロムを含み得る。
【００７６】
図１２は、さらに、電気外科装置１０の例示的な制御装置（例えば、アクチュエータ）２３２を示す。制御装置２３２は、シャトル２３４、第１のボタン２３６、及び第２のボタン２３８を含む。シャトル２３４は長手方向軸ＬＡに平行に移動する。シャトル２３４を移動させると、ブレード電極２２が長手方向軸ＬＡに沿って移動する。シャトル２３４を前方に（すなわち、遠位端３０に向って）移動させると、ブレード電極２２が側部電極４２から引き出され（延在され）る。シャトル２３４を後方に（すなわち、遠位端３０から遠ざかるように）移動させると、ブレード電極２２が側部電極４２内に引き込まれる。シャトル２３４は、１以上のボタン（第１ボタン２３６又は第２ボタン２３８のいずれでも）を露出させ且つ／又は覆う。第１ボタン２３６は、ブレード電極２２が引き出されるときに露出され、ブレード電極２２が引き込まれるときに覆われ得る。第２ボタン２３８は、ブレード電極２２が引き込まれるときに露出され、ブレード電極２２が引き出されるときに露出され得る。第１ボタン２３６が押されると、第１の単極モード、第１の単極電流、及び／又は第１の単極治療信号がイネーブルされ得る。第２のボタン２３８が押されると、第２の単極モード、第２の単極電流、及び／又は第２の単極治療信号がイネーブルされ得る。制御装置２３２は、１以上の回路スイッチ５５（図示せず）を含むことができ、又はそれらと通信し得る。
【００７７】
図１３は、ブレード電極２２のＡ−Ａにおける断面を示す。ブレード電極２２は複数の材料から形成され得る。ブレード電極２２は、サンドイッチ複合体として形成され得る。ブレード電極２２は、コア材料２４０及び外側材料２４２を含む。例示的なコア材料２４０は、銅を含み得る。例示的な外側材料２４２は、ステンレス鋼を含み得る。
【００７８】
図１４は、例示的な電気外科システム１１８及び電気回路１１９を示す。電気外科システム１１８は、電気外科装置１０、中央処理装置５２、エネルギー源５４（すなわち、発電機）、及び、リターン電極５６を含む。中央処理装置５２は、エネルギー源５４に電気的に接続されている。中央処理装置５２は、電気外科装置１０の第１のリード５８及び第２のリード６２に電気的に接続されている。第１のリード５８は第１の極６０を含む。第２のリード６２は第２の極６４を含む。エネルギー源５４は、リターン経路５７を形成しているリターン電極５６に電気的に接続されている。エネルギー源５４は、中央処理装置５２を介して第１極６０及び第２極６４と電気的に連通している。第１の単極モードは、エネルギー源５４から中央処理装置５２に流れる第１の単極治療電流を提供でき、この電流の流れは、中央処理装置５２から第１の極６０に、第１の極６０からリターン電極５６に（例えば、第１極６０とリターン電極５６との間の組織を通って）、リターン電極５６から、リターン経路５７を通ってエネルギー源５４へと戻るような流れである。第２の単極モードは、第１の単極治療電流及び追加の第２の単極治療電流、或いは、第２の治療電流のみを含み得る。第２単極治療電流の流れは、エネルギー源５４から中央処理装置５２に、中央処理装置５２から第２極６４に、第２極６４からリターン電極５６に（例えば、第２極６４とリターン電極５６との間の組織を通って）、リターン電極５６から、リターン経路５７を通ってエネルギー源５４へと戻るような流れである。
【００７９】
図１５、図１６及び図１７は、例示的なリターン電極５６及びリターン経路５７を示す。図１４に示したように、リターン電極５６が、単一のリターン電極５６を含んでもよい。単一の電極５６は、第１極６０（すなわち、ブレード電極）（図示せず）及び第２極６４（すなわち、側部電極）（図示せず）が共通のリターン電極５６を共有することを可能にする。リターン電極５６が、複数のリターン電極（例えば、第１リターン電極５６ａ及び第２リターン電極５６ｂ）を含んでもよい。第１極６０と第２極６４とは、個別のリターン電極５６を有し得る。第１極６０は、第１のリターン電極５６ａと電気的に連通し得る。第２極６４は、第２のリターン電極５６ｂと電気的に連通し得る。リターン経路５７は、リターン電極５６、第１リターン電極５６ａ及び／又は第２リターン電極５６ｂと、直接的で一定の電気的連通状態であり得る。リターン経路５７は、リターン電極５６、第１電極５６ａ、及び／又は第２電極５６ｂとの電気的連通を制御するための１以上の電気スイッチ５５を含み得る。１以上の電気スイッチ５５は、第１リターン電極５６ａと第２リターン電極５６ｂとを切り替える単一のスイッチ５５を含み得る。１以上の電気スイッチ５５は、第１の電気スイッチ５５ａ及び第２の電気スイッチ５５ｂを含み得る。第１電気スイッチ５５ａは、第１のリターン電極５６ａからエネルギー源５４への電気リターン経路５７を開閉し得る。第２電気スイッチ５５ｂは、第２リターン電極５６ｂからエネルギー源５４への電気リターン経路５７を開閉し得る。
【００８０】
図１８Ａは、電気外科装置１０が電気外科システム１１８に組み込まれた電気回路１１９を示す。図１８Ａは、電源オフ又は非電気外科モードにおける電気回路１１９を示す。電気回路１１９は中央処理装置５２を含み、中央処理装置５２は、通信ライン５３を介してエネルギー源５４に接続され、エネルギー源５４と通信する。エネルギー源は、リターン経路５７を介してリターン電極５６に連通している。電気回路１１９は複数のスイッチ１２０を含み、これらのスイッチ１２０は、制御装置２３２の一部であるか、或いは、制御装置２３２と電気的に連通している。電気外科システム１１８は制御装置２３２を含む。制御装置２３２は電気外科装置１０の一部であり、ハンドピース１４上に配置されている。制御装置２３２は、１以上のスイッチ１２０と電気的に連通している１以上のボタン２３６，２３８を含む。１以上のスイッチが、第１の単極モードスイッチ１２２及び第２の単極モードスイッチ１２４を含む。１以上のスイッチ１２０が開いているとき、電気外科装置１０は電源オフ状態、及び／又は非電気外科モードである。詳細には、第１スイッチ１２２及び第２スイッチ１２４の両方が開いているとき、電気外科装置１０は電源オフ状態、及び／又は非電気外科モード１５０であり、従って、第１極６０及び第２極６４は、電力、信号、及び／又は電流を受け取らない。第１スイッチ１２２及び第２スイッチ１２４は、第１ボタン２３６及び第２ボタン２３８の両方が押されていないときに開いている。
【００８１】
図１８Ｂ及び図１８Ｃは、電気外科システム１１８の、第１の単極モード１５２における（すなわち、第１の信号回路を形成している）電気回路１１９を示す。第１の単極モード１５２において、第１ボタン２３６がユーザ（すなわち、外科医）などにより押される。第１ボタン２３６は、第１スイッチ１２２に直接接続されるか、又は第１スイッチ１２２と電気的に連通している。第１ボタン２３６を押すことで、第１スイッチ１２２が閉じて、第１の信号回路１５２が形成される。中央処理装置５２が、閉じているときの第１スイッチ１２２を通る信号Ｓの連続性（すなわち、信号Ｓが中央処理装置５２から流れ、第１スイッチ１２２を通り、そして中央処理装置５２に戻る（図１８Ｂに示すように））を監視している。第１スイッチ１２２が閉じているとき、第１スイッチ１２２と中央処理装置５２との間に連続性が形成される。
【００８２】
中央処理装置５２が、第１スイッチ１２２が閉じていることを検知すると、中央処理装置５２は、エネルギー源５４に治療電流Ｃ０を供給させるための命令を、通信ライン５３を介して送る。図１８Ｃに示されているように、治療電流Ｃ０は、エネルギー源５４から第１極６０に供給される。第２スイッチ１２４は開いているため、エネルギー源５４からの治療電流Ｃ０が第２極６４に供給されることが防止される。第１極６０は、治療電流Ｃ０を第１の治療電流Ｃ１としてリターン電極５６に伝達する。次いで、第１治療電流Ｃ１は、リターン電極５６からエネルギー源５４に供給される。
【００８３】
図１８Ｄ及び図１８Ｅは、電気外科システム１１８の、第２の単極モード１５４における（すなわち、第２の信号回路を形成している）電気回路１１９を示す。第２の単極モード１５４において、第２ボタンがユーザ（すなわち、外科医）により押される。第２ボタン２３８は、第２スイッチ１２４に直接接続されるか、又は第２スイッチ１２４と電気的に連通している。第２ボタン２３８を押すことで、第２スイッチ１２４が閉じて、第２の信号回路１５４が形成される。中央処理装置５２が、閉じているときの第２スイッチ１２４を通る信号Ｓの連続性（すなわち、信号Ｓが中央処理装置５２から流れ、閉じているときの第２スイッチ１２４を通り、そして中央処理装置５２に戻る（図１８Ｃに示すように））を監視している。第２スイッチ１２４が閉じているとき、第２スイッチ１２４と中央処理装置５２との間に連続性が形成される。
【００８４】
中央処理装置５２が、第２スイッチ１２４が閉じていることを検知すると、中央処理装置５２はエネルギー源５４に、治療電流Ｃ０を供給するように命令を送る。図１８Ｅに示されているように、治療電流Ｃ０は、エネルギー源５４から、第１極６０及び第２極６４の両方に供給される。第２スイッチ１２４が閉じているため、エネルギー源５４からの治療電流Ｃ０が、第１極６０と、そして、第２スイッチ１２４を介して第２極６４にも流れる。第１極６０は、治療電流Ｃ０を第１の治療電流Ｃ１としてリターン電極５６に伝達する。第２極６４は、治療電流Ｃ０を第２の治療電流Ｃ２としてリターン電極５６に伝達する。次いで、第１治療電流Ｃ１及び第２治療電流Ｃ２の両方が、リターン電極５６からエネルギー源５４に供給される。
【００８５】
別段の記載がない限り、本明細書に記載されたあらゆる数値は、これらの任意の低値と任意の高値との間に少なくとも２単位の隔たりがあるならば、低値から高値までの全ての値を１単位の増分で含む。例として、プロセス変数の成分、特性、又は値（例えば、温度、圧力、及び時間など）の量が、例えば、１〜９０、好ましくは２０〜８０、より好ましくは３０〜７０であると記載されている場合、中間範囲の値（例えば、１５〜８５、２２〜６８、４３〜５１、３０〜３２など）が本明細書の教示の範囲内であるものとする。同様に、個々の中間値もまた本教示の範囲内にある。１未満の値の場合、１単位は、状況に応じて、０.０００１，０.００１，０.０１、又は０.１とみなされる。これらは、具体的な記載のための例に過ぎず、最低値と最高値との間の、列挙された数値の全ての可能な組合せも、本出願にて同様に明示され得るものとする。
【００８６】
別段の記載がない限り、全ての範囲は、終点（エンドポイント）、及び、終点間の全数値を含む。所定の範囲に関する「約」(“about”)又は「およそ」(“approximately”)の使用は、その範囲の両端に適用される。従って、「約２０〜３０」は、明示された終点を少なくとも含めて「約２０〜約３０」をカバーすることが意図されている。
【００８７】
特許出願及び刊行物を含む全ての記事と参照文献の開示を、全ての目的のために参照により本出願に援用する。組合せを説明するための、「本質的に〜から成る」(“consisting essentially of”)という用語は、特定された要素、成分、構成要素、又はステップと、組合せの基本的特性及び新規の特性に実質的に影響を与えないその他の要素、成分、構成要素、又はステップとを含むものとする。また、本明細書中の要素、成分、構成要素、又はステップを説明するための「〜を備えている」（comprising）、「〜を含む」（including）という用語の使用により、本質的にそれらの要素、成分、構成要素、又はステップから成るか、或いは、それらの要素、成分、構成要素、又はステップから成る実施形態も想定される。複数の要素、成分、構成要素、又はステップを、単一の一体化された要素、成分、構成要素、又はステップにより提供できる。あるいは、単一の一体化された要素、成分、構成要素、又はステップを、別々の複数の要素、成分、構成要素、又はステップに分割してもよい。或る要素、成分、構成要素、又はステップを説明するための不定冠詞(“a”)又は「１つの」(“one”)という開示は、追加の要素、成分、構成要素、又はステップを除外することを意図するものではない。
【００８８】
上述の説明が例示的なものであり、限定的ではないことが理解されよう。提示された例に加え、多くの実施形態及び多くの応用が、上記の説明を読んだ当業者には明らかになろう。本発明の範囲は、上記の説明を参照して決定されるべきではなく、添付の特許請求の範囲と、これらの請求の範囲に権利を与える均等物の全範囲とを併せて決定されるべきである。特許出願及び刊行物を含む全ての記事と参照文献の開示を、全ての目的のために参照により本出願に援用する。本明細書で開示される主題のいずれの態様の、以下の特許請求の範囲における省略も、それらの主題の放棄にはならず、また発明者が、それらの主題を開示された本発明の主題の一部と考えなかったと見なされるべきではない。
【図１】
2018029950.tif 000003
【図２】
2018029950.tif 000004
【図３】
2018029950.tif 000005
【図４】
2018029950.tif 000006
【図５】
2018029950.tif 000007
【図６】
2018029950.tif 000008
【図７】
2018029950.tif 000009
【図８】
2018029950.tif 000010
【図９】
2018029950.tif 000011
【図１０】
2018029950.tif 000012
【図１１】
2018029950.tif 000013
【図１２】
2018029950.tif 000014
【図１３】
2018029950.tif 000015
【図１４】
2018029950.tif 000016
【図１５】
2018029950.tif 000017
【図１６】
2018029950.tif 000018
【図１７】
2018029950.tif 000019
【図１８Ａ】
2018029950.tif 000020
【図１８Ｂ】
2018029950.tif 000021
【図１８Ｃ】
2018029950.tif 000022
【図１８Ｄ】
2018029950.tif 000023
【図１８Ｅ】
2018029950.tif 000024
【外国語明細書】
2018029950.tif 000025
2018029950.tif 000026
2018029950.tif 000027
2018029950.tif 000028
2018029950.tif 000029
2018029950.tif 000030
2018029950.tif 000031
2018029950.tif 000032
2018029950.tif 000033
2018029950.tif 000034
2018029950.tif 000035
2018029950.tif 000036
2018029950.tif 000037
2018029950.tif 000038
2018029950.tif 000039
2018029950.tif 000040
2018029950.tif 000041
2018029950.tif 000042
2018029950.tif 000043
2018029950.tif 000044
2018029950.tif 000045
2018029950.tif 000046
2018029950.tif 000047
2018029950.tif 000048
2018029950.tif 000049
2018029950.tif 000050
2018029950.tif 000051
2018029950.tif 000052
2018029950.tif 000053
2018029950.tif 000054
2018029950.tif 000055
2018029950.tif 000056
2018029950.tif 000057
2018029950.tif 000058
2018029950.tif 000059
2018029950.tif 000060
2018029950.tif 000061
2018029950.tif 000062
2018029950.tif 000063
2018029950.tif 000064
2018029950.tif 000065
2018029950.tif 000066
2018029950.tif 000067
2018029950.tif 000068
2018029950.tif 000069
2018029950.tif 000070
2018029950.tif 000071
2018029950.tif 000072
2018029950.tif 000073
2018029950.tif 000074
2018029950.tif 000075
2018029950.tif 000076
2018029950.tif 000077
2018029950.tif 000078
2018029950.tif 000079
2018029950.tif 000080
2018029950.tif 000081
2018029950.tif 000082
2018029950.tif 000083